(57)【特許請求の範囲】
【請求項１】
移動通信システムで使用される移動局装置であって、
セルサーチで使用すべき同期チャネルが含まれた信号を基地局装置から受信する受信部と、
前記受信部において受信した信号を処理する処理部とを備え、
前記同期チャネルは、受信タイミングを検出するための一次同期チャネルと、セルＩＤグループ情報を含む二次同期チャネルとを有し、
前記二次同期チャネルは複数の異なるショートコードで構成され、
複数のショートコードの組み合わせと、セルＩＤグループ情報との対応関係が予め規定されており、
前記二次同期チャネルが、第１のインデックス番号で指定される第１のショートコード及び第２のインデックス番号で指定される第２のショートコードで構成され、
第２のインデックス番号−第１のインデックス番号≦Δ（Δは正の整数）であることを特徴とする移動局装置。
【請求項２】
第１及び第２のインデックス番号は、同じ数値範囲から選択されることを特徴とする請求項１に記載の移動局装置。
【請求項３】
第１のフレーム同期タイミングで送信される二次同期チャネルが、第１のインデックス番号で指定される第１のショートコード及び第２のインデックス番号で指定される第２のショートコードで構成され、
第２のフレーム同期タイミングで送信される二次同期チャネルでは、第１のフレーム同期タイミングで送信される二次同期チャネルにおける第１のインデックス番号と第２のインデックス番号との関係が入れ替わることを特徴とする請求項１または２に記載の移動局装置。
【請求項４】
第１のフレーム同期タイミングは、複数のサブフレームにて構成されたフレームのうち、所定のサブフレームに含まれ、第２のフレーム同期タイミングは、フレームのうち、第１のフレーム同期タイミングが含まれたサブフレームよりも後のサブフレームに含まれることを特徴とする請求項３に記載の移動局装置。
【請求項５】
前記ショートコードがＭ系列の符号で構成されることを特徴とする請求項１から４のいずれかに記載の移動局装置。
【請求項６】
移動通信システムで使用される同期チャネル受信方法であって、
セルサーチで使用すべき同期チャネルが含まれた信号を基地局装置から受信するステップと、
受信した信号を処理するステップとを備え、
前記同期チャネルは、受信タイミングを検出するための一次同期チャネルと、セルＩＤグループ情報を含む二次同期チャネルとを有し、
前記二次同期チャネルは複数の異なるショートコードで構成され、
複数のショートコードの組み合わせと、セルＩＤグループ情報との対応関係が予め規定されており、
前記二次同期チャネルが、第１のインデックス番号で指定される第１のショートコード及び第２のインデックス番号で指定される第２のショートコードで構成され、
第２のインデックス番号−第１のインデックス番号≦Δ（Δは正の整数）であることを特徴とする同期チャネル受信方法。
【請求項７】
第１及び第２のインデックス番号は、同じ数値範囲から選択されることを特徴とする請求項６に記載の同期チャネル受信方法。
【請求項８】
第１のフレーム同期タイミングで送信される二次同期チャネルが、第１のインデックス番号で指定される第１のショートコード及び第２のインデックス番号で指定される第２のショートコードで構成され、
第２のフレーム同期タイミングで送信される二次同期チャネルでは、第１のフレーム同期タイミングで送信される二次同期チャネルにおける第１のインデックス番号と第２のインデックス番号との関係が入れ替わることを特徴とする請求項６または７に記載の同期チャネル受信方法。
【請求項９】
第１のフレーム同期タイミングは、複数のサブフレームにて構成されたフレームのうち、所定のサブフレームに含まれ、第２のフレーム同期タイミングは、フレームのうち、第１のフレーム同期タイミングが含まれたサブフレームよりも後のサブフレームに含まれることを特徴とする請求項８に記載の同期チャネル受信方法。
【請求項１０】
前記ショートコードがＭ系列の符号で構成されることを特徴とする請求項６から９のいずれかに記載の同期チャネル受信方法。
【請求項１１】
セルサーチで使用すべき同期チャネルが含まれた信号を送信する基地局装置と、
前記基地局装置からの信号を受信する移動局装置とを備え、
前記同期チャネルは、受信タイミングを検出するための一次同期チャネルと、セルＩＤグループ情報を含む二次同期チャネルとを有し、
前記二次同期チャネルは複数の異なるショートコードで構成され、
複数のショートコードの組み合わせと、セルＩＤグループ情報との対応関係が予め規定されており、
前記二次同期チャネルが、第１のインデックス番号で指定される第１のショートコード及び第２のインデックス番号で指定される第２のショートコードで構成され、
第２のインデックス番号−第１のインデックス番号≦Δ（Δは正の整数）であることを特徴とする移動通信システム。
【発明の詳細な説明】
【技術分野】
【０００１】
本発明は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を適用する無線通信システムに関し、特に基地局装置及び移動局装置並びに同期チャネル送信方法等に関する。
【背景技術】
【０００２】
Ｗ−ＣＤＭＡやＨＳＤＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
尚、ＬＴＥにおいては、ＯＦＤＭにおいて、遅延波によるシンボル間干渉の影響を軽減するためのＣｙｃｌｉｃ  Ｐｒｅｆｉｘ（ＣＰ）として、Ｌｏｎｇ  ＣＰとＳｈｏｒｔ  ＣＰという長さの異なる２種類のＣＰが用意されている。例えば、Ｌｏｎｇ  ＣＰはセル半径の大きいセルで、また、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）信号送信時に適用され、Ｓｈｏｒｔ  ＣＰはセル半径の小さいセルで適用される。Ｌｏｎｇ  ＣＰを適用した場合、１スロット内のＯＦＤＭシンボル数は６であり、Ｓｈｏｒｔ  ＣＰを適用した場合、１スロット内のＯＦＤＭシンボル数は７である。
【０００６】
ところで、一般に、Ｗ−ＣＤＭＡやＬＴＥ等を用いた無線通信システムにおいて、移動局は、電源立ち上げ時、待ち受け中、通信中、あるいは、通信中の間欠受信時等において、同期信号などに基づいて、自局にとって無線品質が良好なセルを検出しなければならない。このプロセスを、無線リンクを接続すべきセルを探すという意味で、セルサーチと呼ぶ。セルサーチ方法は、一般に、セルサーチに要する時間、及び、セルサーチを行う際の移動局の処理負荷に基づいて決定される。すなわち、上記セルサーチの方法は、セルサーチに要する時間が短く、かつ、セルサーチを行う際の移動局の処理負荷が小さいような方法でなければならない。
【０００７】
Ｗ−ＣＤＭＡにおいては、Ｐｒｉｍａｒｙ  ＳＣＨ（Ｐ−ＳＣＨ）とＳｅｃｏｎｄａｒｙ  ＳＣＨ（Ｓ−ＳＣＨ）という２種類の同期信号を用いてセルサーチが行われており、ＬＴＥにおいても、同様に、セルサーチにＰ−ＳＣＨとＳ−ＳＣＨの２種類の同期信号を用いることが検討されている。
【０００８】
例えば、セルサーチの方法として、５ｍｓに１回の時間間隔で、１つの系列を有するＰ−ＳＣＨと、複数の系列を有するＳ−ＳＣＨを送信するセルサーチ方法が検討されている（非特許文献２）。上記方法においては、Ｐ−ＳＣＨにより、各セルからの下りリンクの受信タイミングが特定され、同じサブフレームに送信されるＳ−ＳＣＨにより、受信フレームタイミングの検出とセルＩＤもしくはセルのグループ(Group  ID)等のセル固有の情報が特定される。ここで、上記Ｓ−ＳＣＨの復調・復号には、一般に、上記Ｐ−ＳＣＨから求まるチャネル推定値を用いることが可能である。そして、セルＩＤのグループ化を行う場合には、その後、検出されたセルのGroup  IDに属するセルＩＤの中から、当該セルのIDを検出する。例えば、セルのIDは、パイロット信号の信号パターンに基づいて算出される。また、例えば、セルのIDは、上記Ｐ−ＳＣＨおよび上記Ｓ−ＳＣＨの復調・復号に基づいて算出される。あるいは、セルＩＤのグループ化を行わずに、Ｓ−ＳＣＨの情報要素として、セルのＩＤが含まれていてもよい。この場合、移動局は、Ｓ−ＳＣＨを復調・復号した時点でセルのＩＤを検出することができる。
【０００９】
しかしながら、上記セルサーチの方法を適用した場合、各セルからの信号が同期している局間同期システムにおいては、複数のセルから同じ系列で送信されるＰ−ＳＣＨから求まるチャネル推定値に基づいて、複数のセルから異なる系列で送信されるＳ−ＳＣＨを復調・復号することが生じるため、Ｓ−ＳＣＨの伝送特性が劣化するという問題点がある。ここで、伝送特性は、例えば、セルサーチに要する時間も含む。尚、各セルからの信号が同期していない非局間同期システムの場合は、複数のセルから送信されるＰ−ＳＣＨの系列の受信タイミングが、複数のセルの間で異なるため、上記のような問題は生じない。
【００１０】
上述したような、局間同期システムにおけるＳ−ＳＣＨの特性劣化を防ぐために、Ｐ−ＳＣＨの系列数を１から２以上の数、例えば、３か７にするセルサーチの方法が検討されている（非特許文献３）。あるいは、上述したような、局間同期システムにおけるＳ−ＳＣＨの特性劣化を防ぐために、Ｐ−ＳＣＨをセル毎に異なる送信間隔で送信する方法が提案されている（非特許文献４）。上記方法においては、Ｓ−ＳＣＨの復調・復号において、複数のセルからの受信タイミングが異なるＰ−ＳＣＨを用いることができるため、上述したＳ−ＳＣＨの特性劣化を防ぐことが可能となる。
【００１１】
ところで、上述した、非特許文献３におけるＰ−ＳＣＨの系列数や非特許文献４におけるＰ−ＳＣＨの送信間隔の種類は、セル設計の観点からは、多ければ多いほど良いと考えられる。というのは、上記Ｐ−ＳＣＨの系列数やＰ−ＳＣＨの送信間隔の種類が少ない場合、隣り合うセルでＰ−ＳＣＨの系列が同じになる確率、あるいは、Ｐ−ＳＣＨの送信間隔が同じになる確率が高くなり、局間同期システムにおけるＳ−ＳＣＨの特性劣化が生じる確率が高くなるからである。
【００１２】
また、上述したセルサーチに要する時間、すなわち、セルサーチの伝送特性と、セルサーチを行う際の移動局の処理負荷は、トレードオフの関係にあり、パラメータの設定、あるいは、運用方法により、セルサーチの伝送特性を重要視するか、セルサーチを行う際の移動局の処理負荷を重要視するかを選択できることが望ましい。
【先行技術文献】
【非特許文献】
【００１３】
【非特許文献１】3GPP  TR  25.814  (V7.0.0),  "Physical  Layer  Aspects  for  Evolved  UTRA,"  June  2006
【非特許文献２】R1-062990,  Outcome  of  cell  search  drafting  session
【非特許文献３】R1-062636,  Cell  Search  Performance  in  Tightly  Synchronized  Network  for  E-UTRA
【非特許文献４】R1-070428,  Further  analysis  of  initial  cell  search  for  Approach  1  and  2  -  single  cell  scenario
【非特許文献５】3GPP  TS  36.211  V1.0.0(2007-03)
【非特許文献６】3GPP  R1-060042  SCH  Structure  and  Cell  Search  Method  in  E-UTRA  Downlink
【非特許文献７】3GPP  R1-071584  Secondary  Synchronization  Signal  Design
【非特許文献８】C.  Chu,  "Polyphase  codes  with  good  periodic  correlation  properties,"IEEE  Trans.  Inform.  Theory,  vol.  II-18,  pp.531-532,  July  1972
【非特許文献９】R.L.Frank  and  S.A.Zadoff,  "Phase  shift  pulse  codes  with  good  periodic  correlation  properties,  "IRE  Trans.  Inform.  Theory,  vol.  IT-8,  pp.  381-382,  1962
【非特許文献１０】M.J.E.  Golay,  "Complementary  Series,"  IRE  Trans.  Inform.  Theory,  vol. 7,  pp.  82-87,  April  1961.
【非特許文献１１】R1-062487  Hierarchical  SCH  signals  suitable  for  both  (FDD  and  TDD)  modes  of  E-UTRA
【非特許文献１２】3GPP,  R1-070146,  S-SCH  Sequence  Design
【非特許文献１３】3GPP,  R1-072093,  Details  on  SSC  Sequence  Design
【非特許文献１４】3GPP,  R1-071641,  Frequency  Hopping/Shifting  of  Downlink  Reference  Signal  in  E-UTRA
【非特許文献１５】3GPP,  R1-071794，  Way  forward  for  stage  2.5  details  of  SCH
【非特許文献１６】3GPP,  R1-072368，  Mapping  of  Short  Sequences  for  S-SCH
【発明の概要】
【発明が解決しようとする課題】
【００１４】
しかしながら、上述した背景技術には以下の問題がある。
【００１５】
上述したように、同期チャネル（SCH：  Synchronization  Channel）は、セルサーチに使用される下りリンクのシグナリングである。この同期チャネルには、階層型SCHの適用が決定されている（例えば、非特許文献５参照）。すなわち、プライマリ同期チャネル（Primary  SCH）とセカンダリ同期チャネル（Secondary  SCH）の２のサブチャネルにより構成される。
【００１６】
このプライマリ同期チャネルとセカンダリ同期チャネルのうち、セカンダリ同期チャネルでは、セルIDグループ、無線フレームタイミング、送信アンテナ数情報などのセル固有の情報が通知される。ユーザ装置は、セカンダリ同期チャネルの系列の検出を行うことにより、セル固有の情報の検出を行う。
【００１７】
上述したように、Ｗ−ＣＤＭＡ（Wideband  Code  Division  Multiple  Access）方式では、ハンドオーバが行われる場合に周辺セルサーチが行われるが、この周辺セルサーチに先だって、近隣セルのセル固有情報（周辺セル情報）が予めユーザ装置に通知される。しかし、LTEシステムでは、このような周辺セル情報が通知されるか否かについては今のところ決定されていない。通信中や待ち受け時において、ハンドオーバ先となるセルを検出する周辺セルサーチでは、周辺セル情報などが予め通知される場合には、検出すべきセル固有情報の候補数を減少させることが可能である。
【００１８】
セカンダリ同期チャネル系列のマッピング方法として、周波数方向に異なる系列をマッピングする方法が提案されている（例えば、非特許文献６、非特許文献７参照）。例えば、図１に示すように直交系列１（P1(0)，P1(1)，・・・，P1(31)）と、直交系列２（P2(0)，P2(1)，・・・，P2(31)）とが１サブキャリアおきに交互にマッピングされる。また、例えば、図２に示すように直交系列１（P1(0)，P1(1)，・・・，P1(31)）と、直交系列２（P2(0)，P2(1)，・・・，P2(31)）とが連続するサブキャリアにマッピングされる。このように系列を複数に分けることにより、送信できるパターン数を増大させることができる。具体的には、例えば系列長６４の系列1種類を用いる場合には、６４種類のパターン数を送信可能であるのに対し、図２に示すように系列長３２の２種類の系列を用いる場合には、１０２４種類のパターン数を送信可能となる。
【００１９】
そこで、本発明は、上述した課題に鑑み、その目的は、周辺セルサーチにおいて、検出すべきセル固有情報の候補数を減少させることができる基地局装置及び移動局装置並びに同期チャネル送信方法等を提供することにある。
【課題を解決するための手段】
【００２０】
一実施形態による移動局装置は、
移動通信システムで使用される移動局装置であって、
セルサーチで使用すべき同期チャネルが含まれた信号を基地局装置から受信する受信部と、
前記受信部において受信した信号を処理する処理部とを備え、
前記同期チャネルは、受信タイミングを検出するための一次同期チャネルと、セルＩＤグループ情報を含む二次同期チャネルとを有し、
前記二次同期チャネルは複数の異なるショートコードで構成され、
複数のショートコードの組み合わせと、セルＩＤグループ情報との対応関係が予め規定されており、
前記二次同期チャネルが、第１のインデックス番号で指定される第１のショートコード及び第２のインデックス番号で指定される第２のショートコードで構成され、
第２のインデックス番号−第１のインデックス番号≦Δ（Δは正の整数）であることを特徴とする移動局装置。
【発明の効果】
【００２１】
本発明の実施例によれば、周辺セルサーチにおいて、検出すべきセル固有情報の候補数を減少させることができる基地局装置及び移動局装置並びに同期チャネル送信方法を実現することができる。
【図面の簡単な説明】
【００２２】
【図１】Ｓ−ＳＣＨ系列のマッピング方法を示す説明図である。
【図２】Ｓ−ＳＣＨ系列のマッピング方法を示す説明図である。
【図３】本発明の一実施例に係る無線通信システムの構成を示すブロック図である。
【図４】無線フレーム構成を示す説明図である。
【図５】サブフレームの構成を示す説明図である。
【図６】本発明の一実施例に係る基地局装置を示す部分ブロック図である。
【図７】本発明の一実施例に係る基地局装置のベースバンド信号処理部を示すブロック図である。
【図８】同期信号送信パターンの一例を示す説明図である。
【図９】同期信号送信パターンの一例を示す説明図である。
【図１０】Ｐ−ＳＣＨ系列番号と同期信号送信パターンとの組み合わせの一例を示す説明図である。
【図１１】Ｐ−ＳＣＨ系列番号と同期信号送信パターンとの組み合わせの一例を示す説明図である。
【図１２】Ｐ−ＳＣＨ系列番号と同期信号送信パターンとの組み合わせの一例を示す説明図である。
【図１３】Ｐ−ＳＣＨ系列番号と同期信号送信パターンとの組み合わせの一例を示す説明図である。
【図１４】同期信号送信パターンの一例を示す説明図である。
【図１５】Ｐ−ＳＣＨ系列番号と同期信号送信パターンとの組み合わせの一例を示す説明図である。
【図１６】同期信号送信パターンの一例を示す説明図である。
【図１７】Ｐ−ＳＣＨ系列番号と同期信号送信パターンとの組み合わせの一例を示す説明図である。
【図１８】同期信号送信パターンの一例を示す説明図である。
【図１９】Ｐ−ＳＣＨ系列番号と同期信号送信パターンとの組み合わせの一例を示す説明図である。
【図２０】本発明の一実施例に係るＳ−ＳＣＨ系列のマッピング方法を示す説明図である。
【図２１】本発明の一実施例に係る移動局装置を示す部分ブロック図である。
【図２２】本発明の一実施例に係るセルサーチ方法を示すフロー図である。
【図２３】ショートコードのマッピング方法の一例を示す説明図である。
【図２４】本発明の一実施例に係るショートコードのマッピング方法の一例を示す説明図である。
【図２５】本発明の一実施例に係るＳ−ＳＣＨ系列のマッピング方法を示す説明図である。
【図２６】Ｓ−ＳＣＨ系列の決定方法を説明するための図である。
【図２７】Ｓ−ＳＣＨ系列の別の決定方法を説明するための図である。
【図２８】Ｓ−ＳＣＨ系列の別の決定方法を説明するための図である。
【図２９】ショートコードのマッピング方法の一例を示す図である。
【図３０】ショートコードとスクランブルコードの対応関係を示す図である。
【発明を実施するための形態】
【００２３】
以下、本発明の実施例を、図面を参照しつつ説明する。実施例を説明するための全図において、同一機能を有するものは同一符号を用い、繰り返しの説明は省略する。
【００２４】
図３を参照しながら、本発明の実施例に係る移動局及び基地局装置を有する無線通信システムについて説明する。
【００２５】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００ｍ（２００１、２００２、２００３、・・・、２００ｍ、ｍはｍ＞０の整数）と、基地局装置２００ｍと通信する複数の移動局１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０ｋ（５０１、５０２、・・・、５０ｋ、ｋはｋ＞０の整数）のいずれかにおいて基地局装置２００ｍとＥｖｏｌｖｅｄ  ＵＴＲＡ  ａｎｄ  ＵＴＲＡＮにより通信を行う。
【００２６】
ここで、上記移動局１００ｎには、基地局装置２００ｍのいずれかと通信チャネルを確立し、通信状態にあるものと、基地局２００ｍのいずれとも通信チャネルを確立しておらず、無通信状態にあるものが混在するものとする。
【００２７】
基地局装置２００ｍは、同期信号を送信する。移動局１００ｎは、セル５０ｋ（５０１、５０２、５０３、・・・５０ｋ、ｋはｋ＞０の整数）のいずれかに位置し、電源立ち上げ時、あるいは、通信中の間欠受信時等において、上記同期信号に基づいて、自局にとって無線品質が良好なセルを検出するセルサーチを行う。すなわち、移動局１００ｎは、同期信号を用いてシンボルタイミングとフレームタイミングとを検出し、かつ、セルID（セルIDから生成されるセル固有のスクランブルコード）またはセルＩＤの集合（以下、セルＩＤグループと呼ぶ）などのセル固有の制御情報の検出を行う。
【００２８】
ここで、セルサーチは、移動局１００ｎが通信状態にある場合と無通信状態にある場合の両方で行われる。例えば、通信状態におけるセルサーチとしては、同じ周波数のセルを検出するためのセルサーチや異なる周波数のセルを検出するためのセルサーチ等がある。また、無線通信状態におけるセルサーチとしては、例えば、電源立ち上げ時のセルサーチや待ち受け時のセルサーチ等がある。
【００２９】
以下、基地局装置２００ｍ（２００１、２００２、２００３、・・・２００ｍ）については、同一の構成、機能、状態を有するので、以下では特段の断りがない限り基地局２００ｍとして説明を進める。以下、移動局１００ｎ（１００１、１００２、１００３、・・・１００ｎ）については、同一の構成、機能、状態を有するので、以下では特段の断りがない限り移動局１００ｎとして説明を進める。以下、セル５０ｋ（５０１、５０２、５０３、・・・５０ｋ）については、同一の構成、機能、状態を有するので、以下では特段の断りがない限りセル５０ｋとして説明を進める。
【００３０】
無線通信システム１０００は、無線アクセス方式として、下りリンクについてはＯＦＤＭ（直交周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。
【００３１】
ここで、Ｅｖｏｌｖｅｄ  ＵＴＲＡ  ａｎｄ  ＵＴＲＡＮにおける通信チャネルについて説明する。
【００３２】
下りリンクについては、各移動局１００ｎで共有して使用される下り共有物理チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の下り制御チャネルとが用いられる。下りリンクでは、ＬＴＥ用の下り制御チャネルにより、下り共有物理チャネルにマッピングされる移動局の情報やトランスポートフォーマットの情報、上り共有物理チャネルにマッピングされる移動局の情報やトランスポートフォーマットの情報、上り共有物理チャネルの送達確認情報などが通知され、下り共有物理チャネルによりユーザデータが伝送される。
【００３３】
また、下りリンクにおいて、基地局装置２００ｍは、移動局１００ｎがセルサーチを行うための同期信号を送信する。
【００３４】
上りリンクについては、各移動局１００ｎで共有して使用される上り共有物理チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の上り制御チャネルとが用いられる。尚、上り制御チャネルには、上り共有物理チャネルと時間多重されるチャネルと、周波数多重されるチャネルの２種類がある。
【００３５】
上りリンクでは、ＬＴＥ用の上り制御チャネルにより、下りリンクにおける共有物理チャネルのスケジューリング、適応変復調・符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの共有物理チャネルの送達確認情報（ＨＡＲＱ  ＡＣＫ  ｉｎｆｏｒｍａｔｉｏｎ）が伝送される。また、上り共有物理チャネルによりユーザデータが伝送される。
【００３６】
下りリンク伝送では、図４に示すように、１無線フレーム(Ｒａｄｉｏ  Ｆｒａｍｅ)は１０ｍｓであり、１Ｒａｄｉｏ  Ｆｒａｍｅ内に１０個のサブフレームが存在する。また、図５に示すように、１サブフレームは、２個のスロットで構成され、１個のスロットは、ショートCP(Ｓｈｏｒｔ  ＣＰ)を用いる場合に７個のＯＦＤＭシンボル、ロングCP(Ｌｏｎｇ  ＣＰ)を用いる場合に６個のＯＦＤＭシンボルで構成される。
【００３７】
次に、本発明の実施例に係る基地局装置２００ｍについて、図６を参照して説明する。
【００３８】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。
【００３９】
下りリンクにより基地局装置２００ｍから移動局１００ｎに送信されるパケットデータは、基地局装置２００の上位に位置する上位局、例えばアクセスゲートウェイ装置３００から伝送路インターフェース２１２を介してベースバンド信号処理部２０８に入力される。
【００４０】
ベースバンド信号処理部２０８では、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、ベースバンド信号処理部２０８では、後述するように、同期信号の生成処理が行われる。上記同期信号は、上記パケットデータに多重されて送受信部２０６に転送される。
【００４１】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。ここで、ベースバンド信号とは、上述したパケットデータや同期信号等である。
【００４２】
一方、上りリンクにより移動局１００ｎから基地局装置２００ｍに送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。
【００４３】
ベースバンド信号処理部２０８では、入力されたベースバンド信号に対して、ＦＦＴ処理、誤り訂正復号、ＭＡＣ再送制御の受信処理、ＲＬＣ  ｌａｙｅｒの受信処理がなされ、伝送路インターフェース２１２を介してアクセスゲートウェイ装置３００に転送される。
【００４４】
呼処理部２１０は、無線基地局２００の状態管理やリソース割り当てを行う。
【００４５】
次に、ベースバンド信号処理部２０８の構成について、図７を参照して説明する。尚、本発明に係る実施形態は、主に下りリンクに係るため、同図においては、下りリンクの処理に係る部分を示し、上りリンクの処理に係る部分は省略する。
【００４６】
ベースバンド信号処理部２０８は、ＲＬＣ処理部２０８１と、ＭＡＣ（Ｍｅｄｉｕｍ  Ａｃｃｅｓｓ  Ｃｏｎｔｒｏｌ）処理部２０８２と、符号化部２０８３と、データ変調部２０８４と、多重部２０８５と、直並列変換部２０８６と、乗算器２０８７と、乗算器２０８８と、スクランブルコード生成部２０８９と、振幅調整部２０８１０と、合成部２０８１１と、ＩＦＦＴ（ＩＤＦＴ）２０８１２と、ＣＰ付加部２０８１３と、同期信号生成部２０９とを具備する。
【００４７】
伝送路インターフェース部より受け取った下りリンクのパケットデータの送信データ系列は、ＲＬＣ処理部２０８１において、分割・結合、ＲＬＣ再送制御の送信処理等のＲＬＣ  ｌａｙｅｒの送信処理が行われ、ＭＡＣ処理部２０８２において、ＨＡＲＱ（Ｈｙｂｒｉｄ  Ａｕｔｏｍａｔｉｃ  Ｒｅｐｅａｔ  ｒｅＱｕｅｓｔ）の送信処理や、スケジューリング、伝送フォーマットの選択、周波数リソースの割り当て等のＭＡＣ  ｌａｙｅｒの送信処理が行われた後、符号化部２０８３において符号化され、データ変調部２０８４においてデータ変調される。そして、データ変調された送信データ系列に、多重部２０８５においてパイロットシンボルが多重され、上記パイロットシンボルが多重された送信データ系列は、直並列変換部２０８６において直並列変換されて周波数軸上のＮ個の情報シンボル系列に変換され、周波数軸上に並べられる。ここで、上記パイロットシンボルは、例えば、Ｄｏｎｗｌｉｎｋ  Ｒｅｆｅｒｅｎｃｅ  Ｓｉｇｎａｌである。上記周波数軸上に並べられたＮ個の情報シンボル系列に対して、Ｎ個の乗算器２０８７それぞれにおいて、スクランブルコード生成部２０８９が出力するスクランブルコードが周波数方向に乗算され、さらに、スクランブルコードが乗算されたシンボル系列に対して、Ｎ個の乗算部２０８８それぞれにおいて、振幅調整部２０８１０の出力する振幅調節系列値が乗算され、合成部２０８１１に出力される。合成部２０８１１は、スクランブルコードおよび振幅調整系列値が乗算された系列長Ｎのシンボル系列に、同期信号生成部２０９において作成された同期信号を、Ｎ個のサブキャリアのうちの該当する特定のサブキャリアに多重する。
【００４８】
後述するように、同期信号が送信されるサブフレーム番号およびスロット番号は、同期信号制御部２０９１によって決定される。同期信号が送信されるサブフレーム番号およびスロット番号においては、同期信号生成部２０９において作成された同期信号が、スクランブルコードおよび振幅調整系列値が乗算された、系列長Ｎの下りリンクのパケットデータのシンボル系列に対して多重され、同期信号が送信されないサブフレーム番号およびスロット番号においては、同期信号生成部２０９において作成された同期信号は多重されず、スクランブルコードおよび振幅調整系列値が乗算された、系列長Ｎの下りリンクのパケットデータのシンボル系列のみが逆フーリエ変換部２０８１２に送信される。同期信号が多重されるサブキャリアは、例えば、全帯域幅の中心に位置する。また、同期信号が多重されるサブキャリアの帯域幅は、１．２５ＭＨｚである。
【００４９】
逆フーリエ変換部（ＩＦＦＴ部）２０８１２は、Ｎ個のシンボルを直交マルチキャリア信号に変換する。ＣＰ付加部２０８１３は、フーリエ対象時間毎にこのマルチキャリア信号に、ＣＰを挿入する。尚、上記ＣＰの長さ（ＣＰ長）には、Ｌｏｎｇ  ＣＰとＳｈｏｒｔ  ＣＰの２種類があり、セル毎にどちらのＣＰ長を用いるかが選択される。
【００５０】
同期信号生成部２０９における同期信号の生成処理について説明する。尚、上記同期信号は、第１の同期信号（以下、Ｐ−ＳＣＨと呼ぶ）と、第２の同期信号（以下、Ｓ−ＳＣＨと呼ぶ）とから構成される。同期信号生成部２０９は、同期信号制御部２０９１と、同期信号発生部２０９２と、データ変調部２０９３と、直並列変換部２０９４と、乗算器２０９５と、振幅調整部２０９６とを具備する。同期信号制御部２０９１は、同期信号発生部２０９２に接続される。
【００５１】
同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤあるいはセルＩＤグループに基づき、Ｐ−ＳＣＨの系列番号と、Ｐ−ＳＣＨおよびＳ−ＳＣＨが送信されるサブフレーム番号およびスロット番号とを決定する。移動局は、例えば、セルＩＤグループを特定した後、パイロット信号、すなわち、Ｒｅｆｅｒｅｎｃｅ  Ｓｉｇｎａｌの信号パターンに基づいてセルを特定してもよい。この場合、例えば、Ｒｅｆｅｒｅｎｃｅ  Ｓｉｇｎａｌの信号パターンとセルのＩＤが予め規定されていることになる。あるいは、移動局は、例えば、Ｐ−ＳＣＨおよびＳ−ＳＣＨの復調・復号に基づいて、セルを特定してもよい。この場合、例えば、Ｐ−ＳＣＨ系列番号とセルＩＤ情報が予め規定されていることになる。
【００５２】
そして、同期信号制御部２０９１は、上記Ｐ−ＳＣＨの系列番号を、同期信号系列情報として同期信号発生部２０９２に通知する。また、上記Ｐ−ＳＣＨおよびＳ−ＳＣＨが送信されるサブフレーム番号およびスロット番号を、同期信号送信タイミング情報として同期信号発生部２０９２に通知する。
【００５３】
例えば、無線通信システム１０００は、非特許文献５および図８に示すように、Ｐ−ＳＣＨおよびＳ−ＳＣＨが送信されるサブフレーム番号およびスロット番号を定義する。この例においては、複数種類のＰ−ＳＣＨ系列が用いられ、サブフレーム番号＃１とサブフレーム番号＃６において同期信号が送信される。また、この例においては、Ｐ−ＳＣＨがスロットスロットの最後のＯＦＤＭシンボルにマッピングされることにより、移動局において、Ｌｏｎｇ  ＣＰが用いられているか、Ｓｈｏｒｔ  ＣＰが用いられているかに関係なく、Ｐ−ＳＣＨの復調を行うことが可能となる。その理由は、スロットの最後のＯＦＤＭシンボルにおいては、Ｌｏｎｇ  ＣＰ適用時の６番目のＯＦＤＭシンボルとＳｈｏｒｔ  ＣＰ適用時の７番目のＯＦＤＭシンボルが時間的に一致しているからである。言い換えれば、ショートCPでもロングCPでもサブフレームの先頭及び末尾のタイミングは一致しているからである。この時、無線通信システムは、Ｐ−ＳＣＨ系列番号とセルＩＤ情報とを予め関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤに基づき、Ｐ−ＳＣＨの系列番号を決定することができる。
【００５４】
あるいは、例えば、無線通信システム１０００は、図９に示すように、４通りの、Ｐ−ＳＣＨおよびＳ−ＳＣＨが送信されるサブフレーム番号およびスロット番号を定義し、それぞれ、同期信号送信パターン＃１、＃２、＃３、＃４と定義してもよい。この例においては、サブフレーム番号＃１とサブフレーム番号＃６において同期信号が送信されるため、同期信号が等間隔で送信されることになり、移動局において複数フレームの平均化処理が容易となる。また、この例においては、Ｐ−ＳＣＨがサブフレームの最後のＯＦＤＭシンボルにマッピングされることにより、移動局において、Ｌｏｎｇ  ＣＰが用いられているか、Ｓｈｏｒｔ  ＣＰが用いられているかに関係なく、Ｐ−ＳＣＨの復調を行うことが可能となる。
【００５５】
そして、無線通信システム１０００は、例えば、図１０に示すように、４通りのＰ−ＳＣＨ系列と、２通りの同期信号送信パターンを用いて、８通りのＰ−ＳＣＨ系列と同期信号送信パターンの組み合わせを定義してもよい。この時、無線通信システムは、隣接するセルと上記Ｐ−ＳＣＨ系列と同期信号送信パターンの組み合わせが同じにならないように、セルＩＤまたはセルＩＤグループと、上記Ｐ−ＳＣＨ系列と同期信号送信パターンの組み合わせとを関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤ、または、セルＩＤグループに基づき、Ｐ−ＳＣＨの系列番号と、Ｐ−ＳＣＨおよびＳ−ＳＣＨが送信されるサブフレーム番号およびスロット番号とを決定することができる。また、このとき、Ｓ−ＳＣＨにマッピングされる情報要素の１つとして、当該同期信号、すなわち、Ｐ−ＳＣＨおよびＳ−ＳＣＨが、同期信号送信パターン＃１と＃４のどちらで送信されているかの情報が含まれてもよい。このとき、移動局は、例えば、Ｓ−ＳＣＨに含まれる情報要素に基づいて、同期信号送信パターン＃１と＃４のどちらで送信されているかを判定することができる。
【００５６】
図１０に示す組み合わせを定義した場合、組み合わせの番号が異なる場合には、Ｐ−ＳＣＨが時間的に衝突しない、あるいは、系列が異なることにより、Ｓ−ＳＣＨの特性が劣化することを防ぐことが可能になる。
【００５７】
あるいは、無線通信システム１０００は、図１１に示すように、４通りのＰ−ＳＣＨ系列と、２通りの同期信号送信パターンを用いて、８通りのＰ−ＳＣＨ系列と同期信号送信パターンの組み合わせを定義してもよい。この時、無線通信システムは、隣接するセルと上記Ｐ−ＳＣＨ系列と同期信号送信パターンの組み合わせが同じにならないように、セルＩＤまたはセルＩＤグループと、上記Ｐ−ＳＣＨ系列と同期信号送信パターンの組み合わせとを関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤまたはセルＩＤグループに基づき、Ｐ−ＳＣＨの系列番号と、Ｐ−ＳＣＨおよびＳ−ＳＣＨが送信されるサブフレーム番号およびスロット番号とを決定することができる。なお、このとき、Ｓ−ＳＣＨにマッピングされる情報要素の１つとして、当該同期信号、すなわち、Ｐ−ＳＣＨおよびＳ−ＳＣＨが、同期信号送信パターン＃２と＃３のどちらで送信されているかの情報が含まなくてもよい。移動局は、例えば、受信したＰ−ＳＣＨの時間間隔に基づいて、同期信号送信パターン＃２と＃３のどちらで送信されているかを判定することができる。図１１に示す組み合わせを定義した場合、組み合わせの番号が異なる場合には、Ｐ−ＳＣＨが時間的に衝突しない、あるいは、系列が異なることにより、Ｓ−ＳＣＨの特性が劣化することを防ぐことが可能になる。
【００５８】
あるいは、無線通信システム１０００は、図１２に示すように、３通りのＰ−ＳＣＨ系列と、３通りの同期信号送信パターンを用いて、９通りのＰ−ＳＣＨ系列と同期信号送信パターンの組み合わせを定義してもよい。この時、無線通信システムは、隣接するセルと上記Ｐ−ＳＣＨ系列と同期信号送信パターンの組み合わせが同じにならないように、セルのＩＤまたはセルＩＤグループと、上記Ｐ−ＳＣＨ系列と同期信号送信パターンの組み合わせとを関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤまたはセルＩＤグループに基づき、Ｐ−ＳＣＨの系列番号と、Ｐ−ＳＣＨおよびＳ−ＳＣＨが送信されるサブフレーム番号およびスロット番号とを決定することができる。なお、このとき、Ｓ−ＳＣＨにマッピングされる情報要素の１つとして、当該同期信号、すなわち、Ｐ−ＳＣＨおよびＳ−ＳＣＨが、同期信号送信パターン＃１、＃２、＃３のいずれで送信されているかの情報が含まなくてもよい。移動局は、例えば、受信したＰ−ＳＣＨの時間間隔に基づいて、同期信号送信パターン＃１、＃２、＃３のいずれで送信されているかを判定することができる。図１２に示す組み合わせを定義した場合、組み合わせの番号が異なる場合でも、Ｐ−ＳＣＨが時間的に衝突する場合が存在するが、Ｐ−ＳＣＨが時間的に衝突しない場合も存在するため、Ｓ−ＳＣＨの特性が劣化するのを少し防ぐことが可能となる。一方で、９個のＰ−ＳＣＨ系列と同期信号送信パターンの組み合わせを定義するために、３個のＰ−ＳＣＨ系列しか用いていないため、移動局の処理負荷を小さくすることが可能となる。さらに、図１２に示す組み合わせを定義することにより、セルＩＤまたはセルＩＤグループと、上記図１２に示す組み合わせとを関連づける際に、より柔軟に組み合わせを選択することが可能となる。例えば、Ｓ−ＳＣＨの特性が劣化するのを出来る限り防ぎたいエリアのセルにおいては、組み合わせ＃２、＃３、＃５、＃６、＃８、＃９のみを用いることができる。この場合、使用されるＰ−ＳＣＨ系列と同期信号送信パターンは、図１１相当となり、Ｐ−ＳＣＨが時間的に衝突しないため、Ｓ−ＳＣＨの特性が劣化するのを出来る限り防ぐことが可能となる。一方、Ｓ−ＳＣＨの特性が多少劣化しても構わないエリアのセルにおいては、組み合わせ＃１〜＃９の全てを用いることができる。この場合、セルＩＤまたはセルＩＤグループと、上記組み合わせとの対応付けが容易となる。
【００５９】
尚、図１２においては、同期信号パターンを＃１、＃２、＃３としたが、代わりに、＃２、＃３、＃４としてもよい。
【００６０】
あるいは、無線通信システム１０００は、図１３に示すように、２通りのＰ−ＳＣＨ系列と、４通りの同期信号送信パターンを用いて、８通りのＰ−ＳＣＨ系列と同期信号送信パターンの組み合わせを定義してもよい。この時、無線通信システムは、隣接するセルと上記Ｐ−ＳＣＨ系列と同期信号送信パターンの組み合わせが同じにならないように、セルＩＤまたはセルＩＤグループと、上記Ｐ−ＳＣＨ系列と同期信号送信パターンの組み合わせとを関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤまたはセルＩＤグループに基づき、Ｐ−ＳＣＨの系列番号と、Ｐ−ＳＣＨおよびＳ−ＳＣＨが送信されるサブフレーム番号およびスロット番号とを決定することができる。なお、このとき、Ｓ−ＳＣＨにマッピングされる情報要素の１つとして、当該同期信号、すなわち、Ｐ−ＳＣＨおよびＳ−ＳＣＨが、同期信号送信パターン＃１、＃２、＃３、＃４のいずれで送信されているかの情報が含まれてもよい。このとき、移動局は、例えば、Ｓ−ＳＣＨに含まれる情報要素に基づいて、同期信号送信パターン＃１、＃２、＃３、＃４のいずれで送信されているかを判定することができる。図１３に示す組み合わせを定義した場合、組み合わせの番号が異なる場合でも、Ｐ−ＳＣＨが時間的に衝突する場合が存在するが、Ｐ−ＳＣＨが時間的に衝突しない場合も存在するため、Ｓ−ＳＣＨの特性が劣化するのを少し防ぐことが可能となる。一方で、８個のＰ−ＳＣＨ系列と同期信号送信パターンの組み合わせを定義するために、２個のＰ−ＳＣＨ系列しか用いていないため、移動局の処理負荷を小さくすることが可能となる。
【００６１】
さらに、図１３に示す組み合わせを定義することにより、セルＩＤまたはセルＩＤグループと上記図１３に示す組み合わせとを関連づける際に、より柔軟に組み合わせを選択することが可能となる。例えば、Ｓ−ＳＣＨの特性が劣化するのを出来る限り防ぎたいエリアのセルにおいては、組み合わせ＃１、＃４、＃５、＃８のみを用いることができる。この場合、使用されるＰ−ＳＣＨ系列と同期信号送信パターンは、図１０相当となり、Ｐ−ＳＣＨが時間的に衝突しないため、Ｓ−ＳＣＨの特性が劣化するのを出来る限り防ぐことが可能となる。一方、Ｓ−ＳＣＨの特性が多少劣化しても構わないエリアのセルにおいては、組み合わせ＃１〜＃８の全てを用いることができる。この場合、セルＩＤまたはセルＩＤグループと上記組み合わせの対応付けが容易となる。
【００６２】
また、上述した図９においては、Ｐ−ＳＣＨおよびＳ−ＳＣＨが、サブフレーム番号＃１とサブフレーム番号＃６とにおいて送信されるが、代わりに、サブフレーム番号＃１とサブフレーム番号＃５において送信されてもよい。すなわち、同期信号が異なる間隔で送信されることにより、移動局において、Ｐ−ＳＣＨの送信間隔から、Ｒａｄｉｏ  Ｆｒａｍｅの境目を容易に検出することが可能となる。この場合、Ｐ−ＳＣＨおよびＳ−ＳＣＨがサブフレーム番号＃１とサブフレーム番号＃６とにおいて送信される場合と同様に、サブフレーム番号＃１とサブフレーム番号＃５とにおいて送信されるＰ−ＳＣＨおよびＳ−ＳＣＨに対して、図９に示す同期信号送信パターン＃１、＃２、＃３、＃４が定義され、図１０、１１、１２及び１３に示すＰ−ＳＣＨ系列番号と同期信号送信パターンの組み合わせが定義され、セルＩＤまたはセルＩＤグループと、Ｐ−ＳＣＨ系列番号と同期信号送信パターンの組み合わせとが関連づけられる。
【００６３】
また例えば、無線通信システム１０００は、図１４に示すように、２通りの、Ｐ−ＳＣＨおよびＳ−ＳＣＨが送信されるサブフレーム番号およびスロット番号を定義し、それぞれ、同期信号送信パターン＃１、＃２と定義する。この例においては、サブフレーム番号＃１とサブフレーム番号＃５において同期信号が送信されるため、同期信号が異なる間隔で送信されることになり、移動局においてＲａｄｉｏ  ｆｒａｍｅの境目を容易に検出することが可能となる。また、この例においては、Ｐ−ＳＣＨがスロットの最後のＯＦＤＭシンボルにマッピングされることにより、移動局において、Ｌｏｎｇ  ＣＰが用いられているか、Ｓｈｏｒｔ  ＣＰが用いられているかに関係なく、Ｐ−ＳＣＨの復調を行うことが可能となる。その理由は、スロットの最後のＯＦＤＭシンボルにおいては、Ｌｏｎｇ  ＣＰ適用時の６番目のＯＦＤＭシンボルとＳｈｏｒｔ  ＣＰ適用時の７番目のＯＦＤＭシンボルが時間的に一致しているからである。この同期信号送信パターンの特徴としては、１Ｒａｄｉｏ  Ｆｒａｍｅの内のサブフレーム番号＃１にのみＳ−ＳＣＨが送信され、サブフレーム番号＃５の場合にＳ−ＳＣＨが送信されない点である。Ｐ−ＳＣＨの送信間隔が均等ではないため、移動局は容易にＲａｄｉｏ  Ｆｒａｍｅの境目を検出することが可能であり、そして、移動局は、サブフレーム番号＃１においてのみＳ−ＳＣＨの復調を行う。尚、サブフレーム番号＃１においては、Ｐ−ＳＣＨおよびＳ−ＳＣＨが送信されるＯＦＤＭシンボルが、同期信号送信パターン＃１と＃２とで異なるため、Ｐ−ＳＣＨが時間的に衝突することがなく、Ｓ−ＳＣＨの特性が劣化するのを防ぐことが可能となる。
【００６４】
そして、無線通信システム１０００は、図１５に示すように、４通りのＰ−ＳＣＨ系列と、２通りの同期信号送信パターンを用いて、８通りのＰ−ＳＣＨ系列と同期信号送信パターンの組み合わせを定義してもよい。この時、無線通信システムは、隣接するセルと上記Ｐ−ＳＣＨ系列と同期信号送信パターンの組み合わせが同じにならないように、セルＩＤまたはセルＩＤグループと、上記Ｐ−ＳＣＨ系列と同期信号送信パターンの組み合わせとを関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤまたはセルＩＤグループに基づき、Ｐ−ＳＣＨの系列番号と、Ｐ−ＳＣＨおよびＳ−ＳＣＨが送信されるサブフレーム番号およびスロット番号とを決定することができる。また、このとき、Ｓ−ＳＣＨにマッピングされる情報要素の１つとして、当該同期信号、すなわち、Ｐ−ＳＣＨおよびＳ−ＳＣＨが、同期信号送信パターン＃１と＃２のどちらで送信されているかの情報が含まれてなくてもよい。このとき、移動局は、例えば、受信したＰ−ＳＣＨの時間間隔に基づいて、同期信号送信パターン＃１と＃２のどちらで送信されているかを判定することができる。
【００６５】
さらに例えば、無線通信システム１０００は、図１６に示すように、３通りの、Ｐ−ＳＣＨおよびＳ−ＳＣＨが送信されるサブフレーム番号およびスロット番号を定義し、それぞれ、同期信号送信パターン＃１、＃２、＃３と定義する。この例においては、サブフレーム番号＃１とサブフレーム番号＃６において同期信号が送信されるため、同期信号が等間隔で送信されることになり、移動局において複数フレームの平均化処理が容易となる。この同期信号パターンは、Ｐ−ＳＣＨの送信タイミングが、同期信号送信パターンが異なる場合には、一致することがないという特徴を有する。
【００６６】
そして、無線通信システム１０００は、図１７に示すように、３通りのＰ−ＳＣＨ系列と、３通りの同期信号送信パターンを用いて、９通りのＰ−ＳＣＨ系列と同期信号送信パターンの組み合わせを定義してもよい。この時、無線通信システムは、隣接するセルと上記Ｐ−ＳＣＨ系列と同期信号送信パターンの組み合わせが同じにならないように、セルＩＤまたはセルＩＤグループと、上記Ｐ−ＳＣＨ系列と同期信号送信パターンの組み合わせとを関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルＩＤまたはセルＩＤグループに基づき、Ｐ−ＳＣＨの系列番号と、Ｐ−ＳＣＨおよびＳ−ＳＣＨが送信されるサブフレーム番号およびスロット番号とを決定することができる。また、このとき、Ｓ−ＳＣＨにマッピングされる情報要素の１つとして、当該同期信号、すなわち、Ｐ−ＳＣＨおよびＳ−ＳＣＨが、同期信号送信パターン＃１、＃２、＃３のいずれで送信されているかの情報が含まれてもよい。このとき、移動局は、例えば、Ｓ−ＳＣＨに含まれる情報要素に基づいて、同期信号送信パターン＃１、＃２、＃３のどちらで送信されているかを判定することができる。
【００６７】
図１７に示す組み合わせを定義した場合、組み合わせの番号が異なる場合には、Ｐ−ＳＣＨが時間的に衝突しない、あるいは、系列が異なることにより、Ｓ−ＳＣＨの特性が劣化することを防ぐことが可能になる。
【００６８】
さらに例えば、無線通信システム１０００は、図１８に示すように、４通りの、Ｐ−ＳＣＨおよびＳ−ＳＣＨが送信されるサブフレーム番号およびスロット番号を定義し、それぞれ、同期信号送信パターン＃１、＃２、＃３、＃４と定義する。この例においては、サブフレーム番号＃１とサブフレーム番号＃６において同期信号が送信されるため、同期信号が等間隔で送信されることになり、移動局において複数フレームの平均化処理が容易となる。この同期信号パターンは、Ｐ−ＳＣＨの送信タイミングが、同期信号送信パターンが異なる場合には、一致することがないという特徴を有する。また、図１６に示す同期信号送信パターンとの違いは、図１６に示す同期信号送信パターンにおいては、Ｐ−ＳＣＨとＳ−ＳＣＨがマッピングされるＯＦＤＭシンボルが１スロット内で収まっているが、図１３に示す同期信号送信パターンにおいては、Ｐ−ＳＣＨとＳ−ＳＣＨがマッピングされるＯＦＤＭシンボルが１スロット内ではなく２スロット内、すなわち、１サブフレーム内で収まっている。
【００６９】
そして、無線通信システム１０００は、図１９に示すように、２通りのＰ−ＳＣＨ系列と、４通りの同期信号送信パターンを用いて、８通りのＰ−ＳＣＨ系列と同期信号送信パターンの組み合わせを定義してもよい。この時、無線通信システムは、隣接するセルと上記Ｐ−ＳＣＨ系列と同期信号送信パターンの組み合わせが同じにならないように、セルＩＤまたはセルＩＤグループと、上記Ｐ−ＳＣＨ系列と同期信号送信パターンの組み合わせとを関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤまたはセルＩＤグループに基づき、Ｐ−ＳＣＨの系列番号と、Ｐ−ＳＣＨおよびＳ−ＳＣＨが送信されるサブフレーム番号およびスロット番号とを決定することができる。また、このとき、Ｓ−ＳＣＨにマッピングされる情報要素の１つとして、当該同期信号、すなわち、Ｐ−ＳＣＨおよびＳ−ＳＣＨが、同期信号送信パターン＃１、＃２、＃３、＃４のいずれで送信されているかの情報が含まれていなくてもよい。このとき、移動局は、例えば、受信したＰ−ＳＣＨの時間間隔に基づいて、同期信号送信パターン＃１、＃２、＃３、＃４のどちらで送信されているかを判定することができる。
【００７０】
図１９に示す組み合わせを定義した場合、組み合わせの番号が異なる場合には、Ｐ−ＳＣＨが時間的に衝突しない、あるいは、系列が異なることにより、Ｓ−ＳＣＨの特性が劣化することを防ぐことが可能になる。
【００７１】
一般に、基地局装置２００ｍが提供する通信エリアは、２つ以上のエリアに分割されている。これはセクタ化と呼ばれる。基地局装置２００ｍが複数のセクタを有する場合には上記セルＩＤまたはセルＩＤグループは、基地局装置２００ｍの全てのセクタを合わせたエリアのＩＤとして使われてもよいし、基地局装置２００ｍの各セクタのＩＤとして使われてもよい。セルＩＤまたはセルＩＤグループが、基地局装置２００ｍの全てのセクタを合わせたエリアのＩＤとして使われる場合には、上記同期信号系列と、上記同期信号が送信されるサブフレーム番号およびスロット番号との組み合わせは、基地局装置２００ｍ毎に設定される。セルＩＤまたはセルＩＤグループが、基地局装置２００ｍの各セクタのＩＤとして使われる場合には、上記同期信号系列と、上記同期信号が送信されるサブフレーム番号およびスロット番号との組み合わせは、基地局装置２００ｍのセクタ毎に設定される。
【００７２】
Ｐ−ＳＣＨ系列としては，Ｚａｄｏｆｆ−Ｃｈｕ系列（非特許文献８）などのＣＡＺＡＣ（Ｃｏｎｓｔａｎｔ  Ａｍｐｌｉｔｕｄｅ  Ｚｅｒｏ  ＡｕｔｏＣｏｒｒｅｌａｔｉｏｎ  ｓｅｑｕｅｎｃｅ）系列、Ｆｒａｎｋ系列（非特許文献９）、Ｍｏｄｕｌａｔｅｄ  Ｆｒａｎｋ系列（非特許文献９）、Ｇｏｌａｙ系列（非特許文献１０）、Ｄｏｕｂｌｅ Ｒｅｐｅｔｉｔｉｖｅ  Ｇｏｌａｙ  Ｃｏｍｐｌｅｍｅｎｔａｒｙ  ｓｅｑｕｅｎｃe（非特許文献１１）、ＰＮ（Ｐｓｅｕｄｏ  Ｎｏｉｓｅ）系列などを用いるようにしてもよい。
【００７３】
また、Ｓ−ＳＣＨ系列としては、非直交系列又は直交系列であるスクランブル系列を直交系列に又は非直交系列に乗算した２階層型のＳ−ＳＣＨ系列（非特許文献１２）を用いてもよいし、複数の直交系列又は非直交系列を周波数領域で交互に配置するＳ−ＳＣＨ系列を用いてもよいし、複数の直交系列又は非直交系列に非直交系列又は直交系列であるスクランブル系列を乗算したＳ−ＳＣＨ系列（非特許文献６）を用いてもよいし，複数の直交系列又は非直交系列を連続するサブキャリアに配置するＳ−ＳＣＨ系列（非特許文献７）を用いてもよいし、複数の直交系列または非直交系列を連続するサブキャリアに配置し、非直交系列又は直交系列であるスクランブル系列を乗算するＳ−ＳＣＨ系列を用いてもよい。直交系列には、ウォルシュアダマール（Ｗａｌｓｈ−Ｈａｄａｍａｒｄ）系列、位相回転直交系列、直交Ｍ系列を用いてもよいし、非直交系列には、ＧＣＬ系列などのカザック（ＣＡＺＡＣ）系列、ゴレイ（Ｇｏｌａｙ）系列、Ｇｏｌａｙ  Ｃｏｍｐｌｅｍｅｎｔａｒｙ  ｓｅｑｕｅｎｃe（非特許文献１０）、Ｍ系列（非特許文献１３）及びＰＮ系列などを用いるようにしてもよい。
【００７４】
同期信号発生部２０９２は、同期信号制御部２０９１より通知された同期信号系列情報および同期信号送信タイミング情報に基づき、同期信号系列を生成する。ここで、上記同期信号系列とは、Ｐ−ＳＣＨとＳ−ＳＣＨのいずれかである。
【００７５】
例えば、同期信号発生部２０９２は、Ｓ−ＳＣＨを生成する場合に、Ｓ−ＳＣＨで通知するセル固有情報を階層化してもよい。セル固有の情報とは、セルＩＤグループ、無線フレームタイミング及び送信アンテナ数情報のうち少なくとも１つの情報が含まれる。ここで、無線通信システム１０００は、移動局がセルサーチを行う際に、周辺セル情報などの事前情報として、階層化された一部の情報を通知してもよい。例えば、事前情報として、セルＩＤグループを通知してもよいし、セルＩＤグループの一部を通知してもよいし、無線フレームタイミングを通知してもよいし、送信アンテナ数情報を通知してもよいし、セルＩＤグループの一部、セルＩＤグループ、無線フレームタイミング及び送信アンテナ数情報を組み合わせた情報のうちいずれか１つの情報が含まれていてもよい。このようにすることにより、移動局がセルサーチを行う際に検出する系列数を減少させることができる。具体的には、例えば、図２０に示すように、セルＩＤグループを複数種類の系列、例えば２種類の３２チップ長の系列（ショートコード）における各系列インデックスの組み合わせにより表されるものとする。図２０には、ファーストセルIDグループが２９種類、セカンドレイヤーセルＩＤグループが６種類存在し、ファーストセルIDグループとセカンドレイヤーセルＩＤグループの組み合わせにより、セルIDグループが一意に決まる。（これにより、２９×６＝１７４個のセルIDグループを区別できる。）系列２において、無線フレームタイミング及び／又は送信アンテナ数情報を送信するようにしてもよい。例えば、移動局に、セルＩＤグループを事前情報として通知した場合には、移動局は、ハンドオーバ時には、無線フレームタイミング及び送信アンテナ数情報のみを検出すればよい。
【００７６】
ＬＴＥでは、下りリンクリファレンスシグナルのホッピング／シフティングについて、下りリンクのリファレンスシグナルを２９個のホッピングパターンと６個のシフトパターンに分けて送信することが提案されている（例えば、非特許文献１４参照）。２９個と６個の２種類の系列で送信する情報を、下りリンクのリファレンスシグナルの周波数ホッピング／シフティングパターンに対応付けるようにしてもよい。このようにすることにより、例えば、事前情報により周波数ホッピングパターンが通知される場合には、ファーストレイヤーセルＩＤグループが通知されることになり、ファーストレイヤーセルＩＤグループの検出を行うステップを省くことができる。
【００７７】
周辺セル情報として、送信アンテナ数情報、無線フレームタイミングなどの情報が通知されている場合にも、検出すべき系列数を減少させることができる。
【００７８】
同期信号発生部２０９２で生成された同期信号系列は、データ変調部２０９３においてデータ変調され、さらに、直並列変換部２０９４において直並列変換されて周波数軸上のＮＳＣＨ個のシンボル系列に変換される。上記ＮＳＣＨ個のシンボル信号に対して、乗算器２０９５において、振幅調節部２０９６により入力される振幅調節系列値が乗算され、合成部２０８１１に出力される。
【００７９】
次に、本実施例に係る移動局１００について、図２１を参照して説明する。
【００８０】
移動局１００は、基本波形相関部１０２、同期信号レプリカ生成部１０４、符号系列乗算部１０６、上位階層符号相関部１０８、タイミング検出部１１０及びＳ−ＳＣＨ検出部１１２から構成される。
【００８１】
移動局１００は、アンテナで受信したマルチキャリア信号を基本波形相関部１０２に入力する。一方、同期信号レプリカ生成部１０４は、予め設定されている基本波形の同期信号レプリカを生成し、基本波形相関部１０２に順次に入力する。基本波形相関部１０２において、受信したマルチキャリア信号と基本波形の同期信号レプリカとの相関検出が行われる。符号系列乗算部１０６は、基本波形に対する基本波形相関部１０２の出力に符号系列を乗算する（或いは符号反転する）。上位階層符号相関部１０８は、符号系列乗算部１０６の出力に対して上位階層符号との相関検出を行う。このようにして、Ｐ−ＳＣＨのレプリカ相関を行うことができる。
【００８２】
タイミング検出部１１０は、相関値からＰ−ＳＣＨのタイミングおよびＰ−ＳＣＨ系列番号を検出する。Ｐ−ＳＣＨのタイミング検出が行われると、Ｐ−ＳＣＨをリファレンス信号としてＳ−ＳＣＨ検出部１１２においてＳ−ＳＣＨを検出する。ここで、例えば、事前情報として、セルＩＤグループが通知されている場合には、無線フレームタイミングおよび送信アンテナ数情報を検出する。なお、基地局でスクランブルが施されている場合には、同期検波後にデスクランブルを行う必要がある。
【００８３】
具体的に説明する。
【００８４】
下りリンクの信号に含まれるＰ−ＳＣＨとＳ−ＳＣＨによりセルサーチが行われる。尚、上述した、無線通信システム１０００が定義するＰ−ＳＣＨ系列およびＳ−ＳＣＨ系列に基づいて、セルサーチが行われる。すなわち、Ｐ−ＳＣＨ系列およびＳ−ＳＣＨ系列を検出することにより、セルＩＤまたはセルＩＤグループを検出する。そして、セルＩＤを検出した後、セルＩＤと関連づけられるスクランブリングコードを用いて報知情報の受信を行い、セルサーチ処理を終了する。無線通信システム１０００が定義するＰ−ＳＣＨ系列および同期信号送信パターンの詳細は、基地局装置２００ｍにおける説明と同一であるため省略する。
【００８５】
例えば、無線通信システム１０００が、図８における同期信号送信パターンを定義し、かつ、Ｐ−ＳＣＨ系列番号とセルＩＤ情報とが予め関連づけられている場合には、タイミング検出部１１０は、同期チャネルのタイミングおよびＰ−ＳＣＨ系列番号の検出を行う。また、Ｓ−ＳＣＨ検出部１１２は、例えば、Ｓ−ＳＣＨに含まれる情報要素を検出することにより、セル固有情報を検出することが可能となる。
【００８６】
あるいは、例えば、無線通信システム１０００が、図９における同期信号送信パターンと、図１０における８通りのＰ−ＳＣＨ系列と同期信号送信パターンの組み合わせとを定義し、かつ、Ｓ−ＳＣＨにマッピングされる情報要素の１つとして、当該同期信号、すなわち、Ｐ−ＳＣＨおよびＳ−ＳＣＨが、同期信号送信パターン＃１と＃４のどちらで送信されているかの情報が含まれている場合には、Ｓ−ＳＣＨ検出部１１２は、例えば、Ｓ−ＳＣＨに含まれる情報要素に基づいて、同期信号送信パターン＃１と＃４のどちらで送信されているかを判定することができる。そして、タイミング検出部１１０は、Ｐ−ＳＣＨ系列および同期信号送信パターンを検出することにより、セルＩＤまたはセルＩＤグループを検出することが可能となる。
【００８７】
あるいは、無線通信システム１０００が、図９における同期信号送信パターンと、図１１における８通りのＰ−ＳＣＨ系列と同期信号送信パターンの組み合わせとを定義し、かつ、Ｓ−ＳＣＨにマッピングされる情報要素の１つとして、当該同期信号、すなわち、Ｐ−ＳＣＨおよびＳ−ＳＣＨが、同期信号送信パターン＃２と＃３のどちらで送信されているかの情報が含まれない場合においても、基本波形相関部１０２は、例えば、受信したＰ−ＳＣＨの時間間隔に基づいて、同期信号送信パターン＃２と＃３のどちらで送信されているかを判定することができる。そして、タイミング検出部１１０は、Ｐ−ＳＣＨ系列および同期信号送信パターンを検出することにより、セルＩＤまたはセルＩＤグループを検出することが可能となる。
【００８８】
あるいは、無線通信システム１０００が、図９における同期信号送信パターンと、図１２における９通りのＰ−ＳＣＨ系列と同期信号送信パターンの組み合わせとを定義し、かつ、Ｓ−ＳＣＨにマッピングされる情報要素の１つとして、当該同期信号、すなわち、Ｐ−ＳＣＨおよびＳ−ＳＣＨが、同期信号送信パターン＃１、＃２、＃３のいずれで送信されているかの情報が含まれない場合においても、基本波形相関部１０２は、例えば、受信したＰ−ＳＣＨの時間間隔に基づいて、同期信号送信パターン＃１、＃２、＃３のいずれで送信されているかを判定することができる。そして、タイミング検出部１１０は、Ｐ−ＳＣＨ系列および同期信号送信パターンを検出することにより、セルＩＤまたはセルＩＤグループを検出することが可能となる。
【００８９】
あるいは、無線通信システム１０００が、図９における同期信号送信パターンと、図１３における８通りのＰ−ＳＣＨ系列と同期信号送信パターンの組み合わせとを定義し、かつ、Ｓ−ＳＣＨにマッピングされる情報要素の１つとして、当該同期信号、すなわち、Ｐ−ＳＣＨおよびＳ−ＳＣＨが、同期信号送信パターン＃１、＃２、＃３、＃４のいずれで送信されているかの情報が含まれている場合においても、Ｓ−ＳＣＨ検出部１１２は、例えば、Ｓ−ＳＣＨに含まれる情報要素に基づいて、同期信号送信パターン＃１、＃２、＃３、＃４のいずれで送信されているかを判定することができる。そして、タイミング検出部１１０は、Ｐ−ＳＣＨ系列および同期信号送信パターンを検出することにより、セルＩＤまたはセルＩＤグループを検出することが可能となる。
【００９０】
さらに例えば、無線通信システム１０００が、図１４における同期信号送信パターンと、図１５における８通りのＰ−ＳＣＨ系列と同期信号送信パターンの組み合わせとを定義し、かつ、Ｓ−ＳＣＨにマッピングされる情報要素の１つとして、当該同期信号、すなわち、Ｐ−ＳＣＨおよびＳ−ＳＣＨが、同期信号送信パターン＃１と＃２のどちらで送信されているかの情報が含まれてない場合においても、タイミング検出部１１０は、例えば、受信したＰ−ＳＣＨの時間間隔に基づいて、同期信号送信パターン＃１と＃２のどちらで送信されているかを判定することができる。そして、タイミング検出部１１０は、Ｐ−ＳＣＨ系列および同期信号送信パターンを検出することにより、セルＩＤまたはセルＩＤグループを検出することが可能となる。
【００９１】
あるいは、無線通信システム１０００が、図１６における同期信号送信パターンと、図１７における９通りのＰ−ＳＣＨ系列と同期信号送信パターンの組み合わせを定義し、かつ、Ｓ−ＳＣＨにマッピングされる情報要素の１つとして、当該同期信号、すなわち、Ｐ−ＳＣＨおよびＳ−ＳＣＨが、同期信号送信パターン＃１、＃２、＃３のいずれで送信されているかの情報が含まれている場合には、タイミング検出部１１０は、例えば、Ｓ−ＳＣＨに含まれる情報要素に基づいて、同期信号送信パターン＃１、＃２、＃３のどちらで送信されているかを判定することができる。そして、タイミング検出部１１０は、Ｐ−ＳＣＨ系列および同期信号送信パターンを検出することにより、セルＩＤまたはセルＩＤグループを検出することが可能となる。
【００９２】
あるいは、無線通信システム１０００が、図１８における同期信号送信パターンと、図１９における８通りのＰ−ＳＣＨ系列と同期信号送信パターンの組み合わせとを定義し、かつ、Ｓ−ＳＣＨにマッピングされる情報要素の１つとして、当該同期信号、すなわち、Ｐ−ＳＣＨおよびＳ−ＳＣＨが、同期信号送信パターン＃１、＃２、＃３、＃４のいずれで送信されているかの情報が含まれていない場合でも、タイミング検出部１１０は、例えば、受信したＰ−ＳＣＨの時間間隔に基づいて、同期信号送信パターン＃１、＃２、＃３、＃４のどちらで送信されているかを判定することができる。そして、タイミング検出部１１０は、Ｐ−ＳＣＨ系列および同期信号送信パターンを検出することにより、セルＩＤまたはセルＩＤグループを検出することが可能となる。
【００９３】
次に、本実施例に係る同期チャネル送信方法について説明する。
【００９４】
同期信号発生部２０９２は、複数の同期信号の系列を選択する。例えば、２９個のショートコードから１つと６個のショートコードから１つの２種類の系列を選択する。次に、同期信号発生部２０９２は、選択された複数の同期信号の系列のうち、一部の同期信号の系列により移動局に予め通知する事前情報を生成する。例えば、セルＩＤグループを特定する情報の一部であるファーストレイヤーセルＩＤグループを示す事前情報を生成する。生成した事前情報が送信される。
【００９５】
また、同期信号発生部２０９２は、複数の同期信号の系列のうち、一部の同期信号の系列以外の同期信号の系列により、セカンダリ同期チャネルを生成する。例えば、セルＩＤグループを特定する情報の一部であるファーストレイヤーセルＩＤグループとともに、セルＩＤグループを特定する情報の一部であるセカンドレイヤーセルＩＤグループを示すセカンダリ同期チャネルを生成する。セカンダリ同期チャネルが送信される。移動局は、事前情報とセカンダリ同期チャネルにより、セル固有情報を検出する。
【００９６】
次に、本実施例に係る無線通信システム１０００におけるセルサーチ方法について、２２を参照して説明する。
【００９７】
第１ステップとして、移動局はプライマリ同期チャネル系列と受信信号との相関検出を行い、プライマリ同期チャネルのキャリア周波数及びタイミングを検出する（Ｓ２１０２、Ｓ２１０４）。この結果、プライマリ同期チャネル系列番号が検出される（ステップＳ２１０６）。この第１ステップで、移動局は信号の位相差を求め、周波数オフセット補償を行ってもよい。
【００９８】
プライマリ同期チャネルの送信タイミング及びキャリア周波数及びプライマリ同期チャネル系列番号がわかると、セカンダリ同期チャネルの送信タイミング及びキャリア周波数もわかる。セカンダリ同期チャネルで使用されるセル固有のセカンダリ同期チャネル系列から、フレームタイミングを検出する（Ｓ２１０８）。典型的には１フレームに複数（例えば２つ）の同期チャネルが配置されているため、タイミング検出後にフレームタイミングを検出する必要がある。また、セル固有のセカンダリ同期チャネル系列から、セルＩＤグループを検出する（Ｓ２１１０）。
【００９９】
ここで、例えば、セルＩＤグループの一部または全てを事前情報として移動局に前もって通知することにより、検出するべき固有情報の候補数を低減できるため、検出精度を向上させることができる。その結果、特性を改善できる。事前情報としては、例えば、無線フレームタイミングを通知してもよいし、送信アンテナ数情報を通知してもよい。
【０１００】
基地局が複数の送信アンテナを有する場合には、基地局が送信アンテナ数情報をセカンダリ同期チャネルで移動局に通知し、第２ステップで移動局が送信アンテナ数情報（ＭＩＭＯ（Multiple  Input  Multiple  Output）アンテナ数情報）を検出してもよい（Ｓ２１１２）。特に、基地局が報知チャネルを送信するために用いられる送信アンテナ数情報を検出してもよい。
【０１０１】
次に、第２ステップで検出されたセルＩＤグループと第１ステップで検出されたプライマリ同期チャネル系列番号を用いてセルＩＤを検出する（Ｓ２１１４）。
【０１０２】
次に、本発明の他の実施例に係る基地局装置及び移動局を有する無線通信システムについて説明する。
【０１０３】
本実施例に係る無線通信システムの構成は、図３を参照して説明した無線通信システムと同様である。また、本実施例に係る基地局装置及び移動局の構成は、図６、図７及び図２１を参照して説明した基地局装置及び移動局と同様である。
【０１０４】
これまで、同期チャネルの系列としては、Ｐ−ＳＣＨについては、複数、例えば、３種類のZadoff-Chu系列を用いること、Ｓ−ＳＣＨについては、バイナリ系列を使用すること、この系列は２種類のショートコードの組み合わせであることが決定されている（例えば、非特許文献５及び１５参照）。
【０１０５】
Ｐ−ＳＣＨとＳ−ＳＣＨは、５ｍｓ毎に送信される。各セルからの信号が同期している局間同期システムにおいては、移動局は複数のセルから、信号を同時に受信する。ここで、各セルが同一のＳ−ＳＣＨを５ｍｓ毎に送信する場合、あるセル内において、Ｓ−ＳＣＨの干渉が５ｍｓ毎に生じる。
【０１０６】
例えば、図３を参照して説明した無線通信システムの構成において、各基地局装置２００１、２００２及び２００３からは、図８を参照して説明した同期信号送信パターンの定義に従って、Ｐ−ＳＣＨおよびＳ−ＳＣＨが送信されるサブフレーム番号およびスロット番号が定義される。例えば、複数種類のＰ−ＳＣＨ系列、２種類のショートコードの組み合わせにより表されるＳ−ＳＣＨが用いられ、５ｍｓ毎に、例えばサブフレーム番号＃１とサブフレーム番号＃６において同期信号が送信される。このような場合、図２０を参照して説明したように、サブフレーム番号＃１とサブフレーム番号＃６においては、Ｓ−ＳＣＨに使用されるファーストレイヤーセルＩＤグループは同じ系列（ショートコード）が使用される。
【０１０７】
具体的には、図２３に示すように、セル５０１（セル＃１）において、サブフレーム番号＃１（フレームタイミング＃１）において送信されるＳ−ＳＣＨに使用される２種類のショートコードの一方、すなわちファーストレイヤーセルＩＤグループとして、その系列インデックス（系列番号）が１番のショートコードに使用され、ショートコードの他方、具体的にはセカンドレイヤーセルＩＤグループとして、その系列インデックスが２番のショートコードに使用され、サブフレーム番号＃６（フレームタイミング＃２）において送信されるＳ−ＳＣＨに使用されるファーストレイヤーセルＩＤグループとして、その系列インデックスが１番のショートコードに使用され、セカンドレイヤーセルＩＤグループとして、その系列インデックスが７番のショートコードに使用される。
【０１０８】
また、セル５０２（セル＃２）において、フレームタイミング＃１において送信されるＳ−ＳＣＨに使用されるファーストレイヤーセルＩＤグループとして、その系列インデックスが１番のショートコードに使用され、セカンドレイヤーセルＩＤグループとして、その系列インデックスが３番のショートコードに使用され、フレームタイミング＃２において送信されるＳ−ＳＣＨに使用されるファーストレイヤーセルＩＤグループとして、その系列インデックスが１番のショートコードに使用され、セカンドレイヤーセルＩＤグループとして、その系列インデックスが８番のショートコードに使用される。
【０１０９】
このように、隣接するセルにおいて、ファーストレイヤーセルＩＤグループとして、同じショートコードが使用された場合、無線フレームタイミング＃１及び無線フレームタイミング＃２において、同じ系列が使用されるため、無線フレームタイミング２においても同じ系列が使用される。従って、１０−ｍｓ無線フレーム間でのＳ−ＳＣＨ系列の衝突確率は最大で１／２となる。このような場合、各セルに在圏する移動局１００は、隣接セルからのＳ−ＳＣＨが干渉となり、ファーストレイヤーセルＩＤグループにより使用されるショートコードでは、Ｓ−ＳＣＨを検出しにくくなり、セカンドレイヤーセルＩＤグループにより使用されるショートコードによりＳ−ＳＣＨが検出されにくくなり、Ｓ−ＳＣＨの検出確率が低減する。
【０１１０】
上述したように、隣接セルからの同一Ｓ−ＳＣＨ系列の衝突は、隣接セルが、同一の系列番号のショートコードを用いている場合に発生する。そこで、１０ｍｓ無線フレーム内のＳ−ＳＣＨの２シンボル間で、隣接セルからの同一Ｓ−ＳＣＨ系列の衝突を防ぐ方法として、ショートコードの系列番号のマッピング方法（パーミュテーション）がある（例えば、非特許文献１６参照）。この方法では、フレームタイミング＃１とフレームタイミング＃２に対するＳ−ＳＣＨのマッピングが示される。２種類のショートコードのマッピングが行われる際に、隣接するセルからの干渉が考慮される。すなわち、この方法では、セル固有情報であるセルＩＤグループと、フレームタイミングと、送信アンテナ数情報のうち少なくとも１つの情報の組み合わせの中から、あるセルにおける干渉が少なくなるように、具体的には隣接セル間で同じショートコードが割り当てられることによる衝突確率が少なくなるように各ショートコードの系列番号が選択される。例えば、１０−ｍｓ無線フレーム間でのＳ−ＳＣＨ系列の衝突確率が最大でも、１／４となるように、セルＩＤグループ毎に、ショートコードの系列番号の割り当てを予め決めておく。この場合、送信アンテナ数情報も合わせて割り当てておくようにしてもよい。例えば、図２４に示すように、セル５０２（セル＃２）において、フレームタイミング＃２において送信されるＳ−ＳＣＨに使用される２種類のショートコードの一方、すなわちファーストレイヤーセルＩＤグループとして、その系列インデックス（系列番号）が４番のショートコードが使用される。このようにすることにより、隣接するセルにおいて、ファーストレイヤーセルＩＤグループとして、同じショートコードが使用された場合においても、無線フレームタイミング＃２において異なる系列が使用できるため、衝突確率を低減できる。
【０１１１】
しかし、この方法を適用した場合、予め周辺セルサーチにより、周辺セル情報が予め通知され、セルＩＤグループ、フレームタイミング及び送信アンテナ数情報のいずれかが通知された場合でも、同様の処理、すなわち、全ての組み合わせの中からＳ−ＳＣＨ系列（ショートコード）を選択する必要があるため、基地局装置における処理が大きい問題がある。すなわち、検出すべきＳ−ＳＣＨ系列の候補数が多い問題がある。
【０１１２】
そこで、本実施例に係る基地局装置２００では、図２５に示すように、図２０を参照して説明したＳ−ＳＣＨ系列のマッピング方法において、０−２９番の系列インデックスが付されたファーストレイヤーセルＩＤグループに属するショートコードを２つに分割し、新たに０−１５番の系列インデックスを付す。この系列インデックスをファーストレイヤーセルＩＤグループインジケータと呼ぶ。例えば、Ｓ−ＳＣＨの系列としては、Walsh-hadamard系列を使用できる。図２５の例では、Walsh-hadamard系列に対して付された系列インデックス０−３１が０−１５と１６−３１に分割され、それらにファーストレイヤーセルＩＤインジケータ＃１として、それぞれ０−１５を対応させた場合を示す。この場合、無線フレームタイミング＃１において送信されるＳ−ＳＣＨに使用されるファーストレイヤーセルＩＤグループとして、系列インデックス０−１５に対応するファーストレイヤーセルＩＤグループインジケータ＃１の０−１５番が使用され、無線フレームタイミング２において送信されるＳ−ＳＣＨに使用されるファーストレイヤーセルＩＤグループとして、系列インデックス１６−３１に対応するファーストレイヤーセルＩＤグループインジケータ＃１の０−１５番が使用される。
【０１１３】
また、０−３１番の系列インデックスが付されたセカンドレイヤーセルＩＤグループに属するショートコードを２つに分割し、新たに０−１５番の系列インデックスを付す。この系列インデックスをセカンドレイヤーセルＩＤグループインジケータと呼ぶ。例えば、Ｓ−ＳＣＨの系列としては、Walsh-hadamard系列を使用できる。該Walsh-hadamard系列に対して付された系列インデックス０−３１が０−１５と１６−３１に分割され、それらにセカンドレイヤーセルＩＤインジケータ＃２として、それぞれ０−１５を対応させる。この場合、無線フレームタイミング＃１において送信されるＳ−ＳＣＨに使用されるセカンドレイヤーセルＩＤグループとして、系列インデックス０−１５に対応するセカンドレイヤーセルＩＤグループインジケータ＃２の０−１５番が使用され、無線フレームタイミング２において送信されるＳ−ＳＣＨに使用されるセカンドレイヤーセルＩＤグループとして、系列インデックス１６−３１に対応するセカンドレイヤーセルＩＤグループインジケータ＃２の０−１５番が使用される。系列インデックスの値は便宜上０−３１の値を取るが、ファーストセルIDグループまたはセカンドレイヤーセルＩＤグループに属するショートコードの系列インデックスが３２種類用意されることは必須でなく、必要に応じた数の系列インデックスが使い回されてよい。例えば１７０個程度のセルIDグループを区別する観点からは、ファーストセルIDグループの系列インデックス数は１６個、セカンドレイヤーセルＩＤグループに属する系列インデックスは１１個でよい（ファーストレイヤーセルＩＤグループの系列インデックス１６個×セカンドレイヤーセルＩＤグループの系列インデックス１１個＝１７６個）。
【０１１４】
図２５において、セルＩＤグループは、ファーストレイヤーセルＩＤグループインジケータ＃１とセカンドレイヤーセルＩＤグループインジケータ＃２との組み合わせにより検出される。例えば、フレームタイミング＃１におけるファーストレイヤーセルＩＤグループインジケータ＃１としてのショートコード（Ｓ１ａ）とセカンドレイヤーセルＩＤグループインジケータ＃２としてのショートコード（Ｓ２）との組み合わせと、フレームタイミング＃２におけるファーストセルＩＤグループインジケータ＃１としてのショートコード（Ｓ１ｂ）とセカンドレイヤーセルＩＤグループインジケータ＃２としてのショートコード（Ｓ２）との組み合わせにより検出される。｛Ｓ１ａ，Ｓ２｝と｛Ｓ１ｂ，Ｓ２｝との間で、セルＩＤグループの衝突が生じないようにその組み合わせが決定される。ターゲットセルの無線フレームタイミング又は送信アンテナ数情報に関する事前情報が通知されることにより、セルサーチの手順を簡略化できる。例えば、タイミング＃１が事前情報として予め通知された場合、タイミング＃２と送信アンテナ数情報の組み合わせからＳ−ＳＣＨの検出が行われる。この場合、１６×３２の組み合わせからＳ−ＳＣＨの検出が行われる。
【０１１５】
さらに、隣接セルからの干渉を低減させるために、隣接セルにおいて使用される無線フレームタイミング＃１及び＃２において使用されるファーストレイヤーセルグループＩＤインジケータ＃１とセカンドレイヤーセルグループＩＤインジケータ＃２のうち、最大１つが同じになるように予め設定される。隣接セルとのファーストレイヤーセルグループＩＤインジケータ＃１とセカンドレイヤーセルグループＩＤインジケータ＃２との衝突確率を低減する観点からは、隣接セルにより選択されたファーストレイヤーセルグループＩＤインジケータ＃１及びセカンドレイヤーセルグループＩＤインジケータ＃２は異なる系列（ショートコード）が選択されるのが好ましい。具体的には、セル＃１とセル＃２において、タイミング＃１におけるファーストレイヤーセルＩＤグループインジケータ＃１と、セカンドレイヤーセルＩＤグループインジケータ＃１と、タイミング＃２におけるファーストレイヤーセルＩＤグループインジケータ＃１と、セカンドレイヤーセルＩＤグループインジケータ＃１とのうち、全てが異なるようにショートコードが選択される。又は、最大１つが同じとなるように各インジケータが予め決定される。
【０１１６】
同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤあるいはセルＩＤグループに基づき、Ｐ−ＳＣＨの系列番号と、Ｐ−ＳＣＨおよびＳ−ＳＣＨが送信されるサブフレーム番号およびスロット番号と、同期信号送信タイミングとを決定し、それら同期信号系列情報および同期信号送信タイミング情報を同期信号発生部２０９２に入力する。
【０１１７】
同期信号発生部２０９２は、同期信号制御部２０９１より通知された同期信号系列情報および同期信号送信タイミング情報に基づき、同期信号系列を生成する。ここで、上記同期信号系列とは、Ｐ−ＳＣＨとＳ−ＳＣＨのいずれかである。
【０１１８】
例えば、同期信号発生部２０９２は、Ｓ−ＳＣＨを生成する場合に、予め用意された複数種類の系列を階層化する。ここで、無線通信システム１０００は、移動局がセルサーチを行う際に、周辺セル情報などの事前情報として、階層化された一部の系列を通知してもよい。例えば、事前情報として、セルＩＤグループを通知してもよいし、セルＩＤグループの一部を通知してもよいし、無線フレームタイミングを通知してもよいし、送信アンテナ数情報を通知してもよいし、セルＩＤグループの一部、セルＩＤグループ、無線フレームタイミング及び送信アンテナ数情報を組み合わせた情報のうちいずれか１つの情報が含まれていてもよい。このようにすることにより、移動局がセルサーチを行う際に検出する系列数を減少させることができる。具体的には、例えば、図２５に示したように、セルＩＤグループを複数種類の系列、例えば３２系列長と３２系列長の２種類の系列に分ける。図２５には、３２系列長の系列１が２つに分割され、それぞれ、０−１５のインジケータが付されたファーストレイヤーセルＩＤグループ、３２系列長の系列２として、３２系列長の系列１が２つに分割され、それぞれ、０−１５のインジケータが付されたセカンドレイヤーセルＩＤグループが示される。この場合、同期信号制御部２０９１は、隣接セルにおけるタイミング＃１におけるファーストレイヤーセルＩＤグループインジケータ＃１と、セカンドレイヤーセルＩＤグループインジケータ＃１と、タイミング＃２におけるファーストレイヤーセルＩＤグループインジケータ＃１と、セカンドレイヤーセルＩＤグループインジケータ＃１とのうち、最大でも１つが同じとなるように同期信号系列を決定する。
【０１１９】
ファーストレイヤーセルＩＤグループインジケータ＃１（系列１）において無線フレームタイミング、セカンドレイヤーセルＩＤグループインジケータ＃２（系列２）において送信アンテナ数情報を送信するようにしてもよい。系列１及び系列２において、無線フレームタイミング、送信アンテナ数情報のいずれかを送信するかは適宜変更可能である。例えば、移動局に、タイミング１が事前情報として通知された場合には、移動局は、タイミング＃１におけるセカンドレイヤーセルＩＤグループインジケータ、タイミング＃２におけるファーストレイヤーセルＩＤグループインジケータ＃１及びセカンドレイヤーセルＩＤグループインジケータ＃２を検出すればよい。
【０１２０】
本実施例によれば、周辺セル情報により、セルＩＤグループ、フレームタイミング及び送信アンテナ数情報のいずれかが通知された場合、通知された情報に応じて、通知されていない場合より少ないＳ−ＳＣＨ系列の中から検出が可能となり、基地局装置における処理負荷を低減できる。
【０１２１】
また、パーミュテーションを考慮したシステム情報のマッピングを行うことにより，隣接セル及び／又は同一基地局内のセルが同一のＳ−ＳＣＨ系列を用いている場合に、隣接セルからの干渉をランダム化することが可能となり、Ｓ−ＳＣＨの検出確率を改善することが可能となる。その結果、セルサーチ時間特性を改善可能となる。すなわち、セルサーチ時間を短縮できる。例えば、周辺セルサーチにおいて、ユーザ装置に事前に周辺セル情報が通知されている場合に、検出すべきＳ−ＳＣＨ系列の候補数を減らすことが可能となる。その結果、Ｓ−ＳＣＨの検出精度を向上させることができ、セルサーチ時間特性の改善を行うことができる。
【０１２２】
また、ユーザ装置に予め事前情報が通知されている場合に、検出すべきＳ−ＳＣＨ系列の候補数を減らすことができることにより、シンプルなセルサーチ法を実現することが可能となる。
【０１２３】
本実施例では、図２５に示したように、ファーストレイヤーセルＩＤグループと無線フレームタイミングとが関連づけられ、セカンドレイヤーセルＩＤグループと送信アンテナ数情報とが関連づけられる場合について説明した。しかし、図２０に示したように、セカンドレイヤーセルＩＤグループと無線フレームタイミング及び送信アンテナ数情報とが関連づけられる場合においても、パーミュテーションを考慮したマッピング方法（Ｓ−ＳＣＨ系列の決定方法）の適用を行ってもよい。上述したように、パーミュテーションと階層化型マッピング方法を組み合わせることにより、Ｓ−ＳＣＨ検出精度を向上させることができる。
【０１２４】
図２６はＳ−ＳＣＨ系列の別の決定方法を説明するための図である。図中縦軸の「第１コード」は、Ｓ−ＳＣＨ系列において、例えば系列長３１の２種類のショートコードを用いた場合の第１ショートコードの系列インデックスを示す。図中横軸の「第２コード」は第２ショートコードの系列インデックスを示す。何れの系列インデックスも３１個用意されているが、上述したように第１コードおよび第２コードに割り当てる系列インデックス数は必要に応じて限定されてもよい。
【０１２５】
図示されているように、（フレーム）タイミング＃１で使用される第１のショートコードの系列インデックスは、第１の数値範囲（０−１３）から選択される。このタイミング＃１で使用される第２のショートコードの系列インデックスは、第２の数値範囲（２３−３０）から選択される。タイミング＃１から５ｍｓ後のタイミング＃２で使用される第１のショートコードの系列インデックスは、第２の数値範囲（２３−３０）から選択される。このタイミング＃２で使用される第２のショートコードの系列インデックスは、第１の数値範囲（０−１３）から選択される。
【０１２６】
このように第１及び第２のタイミングで使用する系列インデックスの数値範囲が互いに重複しないようにすると、第１及び第２ショートコード各々をサーチする際のコードの候補数が少なく、速やかにサーチできることに加えて、第１ショートコードの系列インデックスを検出した時点でそれがタイミング＃１に対応することが速やかに判明する等の点で有利である。
【０１２７】
図２７はＳ−ＳＣＨ系列の別の決定方法を説明するための図である。図示の例では、第１および第２のショートコードの系列インデックスは同じ数値範囲（０−３０）から選択される。説明の便宜上、第１，２ショートコードの系列インデックスをｍ，ｎとする。図示の例では、例えば、ｍ−ｎ≦Δ又はｎ−ｍ≦Δを満たすように、ｍ，ｎの組み合わせが選択される。ｍ，ｎは０−３０の整数であり、Δは２９以下の整数である。図２６の場合より広い数値範囲の中から系列インデックスが選択されるので、セカンダリ同期チャネルに使用される符合の組み合わせの自由度が多くなり、これは、図２３等で懸念された衝突を回避しやすくする等の観点から好ましい。
【０１２８】
図２８はＳ−ＳＣＨ系列の別の決定方法を説明するための図である。図示の例でも第１および第２のショートコードの系列インデックスは同じ数値範囲（０−３０）から選択される。但し、図２７のような簡易な規則性はなく、同じ組み合わせが生じないように、第１及び第２ショートコードが様々に組み合わせられている。
【０１２９】
次に、ショートコードの衝突回避を更に確実にする方法を説明する。
【０１３０】
図２９は図２３と同様な図を示し、隣接するセル＃１，＃２各々からフレームタイミング＃１，＃２でユーザ装置に送信されるセカンダリ同期チャネルＳ−ＳＣＨの構成例を示す。図２３ではショートコードが「１」、「２」等のような数字で略記されているが、図２９ではそれらと同じものが説明の便宜上「Ｍ１」，「Ｍ２」等のように示されている。互いに隣接するセル＃１，＃２でフレームタイミング＃１の時点でそれぞれ送信されるセカンダリ同期チャネルＳ−ＳＣＨは、セル＃１ではＭ１及びＭ２×ＳＣ１により構成され、セル＃２ではＭ１及びＭ３×ＳＣ１により構成される。セル＃１でＭ１，Ｍ２が使用され、セル＃２でＭ１，Ｍ３が使用される点は、図２３の場合と同じである。しかしながらショートコード＃２にスクランブルコードＳＣ１が使用される点が図２３の場合と異なる。
【０１３１】
図３０はショートコードＭｉとそれら各々にスクランブルコードＳＣｉが対応付けられている様子が示されている。ショートコードＭｉは図１の系列Ｐｉに相当し、一例として系列は符合長３１のＭ系列で構成される。セカンダリ同期チャネルは、例えば符合長６２のコードであり、２つのショートコード一組で構成される。スクランブルコードＳＣｉはショートコードＭｉにそれぞれ対応付けられる適切な如何なるコードでもよい。スクランブルコードの乗算される前後で互いに異なる符合が得られればよい。一例としてスクランブルコードＳＣｉは符合長３１のM系列でもよい。
【０１３２】
図２９のフレーム同期タイミング＃１では、セル＃１から送信されるセカンダリ同期チャネルＳ−ＳＣＨは、Ｍ１及びＭ２×ＳＣ１により構成される。セル＃２から送信されるセカンダリ同期チャネルＳ−ＳＣＨは、Ｍ１及びＭ３×ＳＣ１により構成される。この場合、Ｍ１はセル＃１，＃２で共通するので衝突が起こっている。
【０１３３】
フレーム同期タイミング＃１の５ｍｓ後のフレーム同期タイミング＃２では、セル＃１から送信されるセカンダリ同期チャネルＳ−ＳＣＨは、Ｍ２及びＭ１×ＳＣ２により構成される。即ち、タイミング＃１でショートコード＃１に使用されたコードはタイミング＃２でショートコード＃２に使用される。タイミング＃１でショートコード＃２に使用されたコードはタイミング＃２でショートコード＃１に使用される。そして、タイミング＃１でも＃２でも、ショートコード＃２にはショートコード＃１のコードに対応するスクランブルコードが乗算される。タイミング＃２では、セル＃１もセル＃２もともにショートコード＃２にＭ１を使用しているので、そのままでは衝突が起こってしまう。しかしながら、セル＃１ではＭ１にスクランブルコードＳＣ２が乗算され、セル＃２ではＭ１にスクランブルコードＳＣ３が乗算された後に送信されるので、それらは互いに異なる符合となり、タイミング＃２で衝突を確実に回避できる。移動局は、セカンダリ同期チャネルの内の第１コードＭｉを特定し、図３０に示されるような対応関係からスクランブルコードＳＣｉを特定し、第２コードのスクランブルを解除し、スクランブル元のセカンドレイヤーセルＩＤグループインジケータを特定する。このようにして移動局はセカンダリ同期チャネルに使用されているショートコードの組み合わせを少ない衝突の下で確実に特定できる。図２９に示される例では、衝突を確実に減らす観点から、タイミング＃１で使用した２つのショートコードがタイミング＃２でも使用されている。しかしながらより一般的にはそのような制約は必須でない。ショートコード＃１と、そのショートコード＃１に対応するスクランブルコードでスクランブルされたショートコード＃２とでセカンダリ同期チャネルを構成するようにしてもよい。
【０１３４】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置及び移動局装置並びに同期チャネル送信方法は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いる全てのシステムにおいて適用することが可能である。
【０１３５】
説明の便宜上、本発明が幾つかの実施例に分けて説明されるが、各実施例の区分けは本発明に本質的ではなく、２以上の実施例が必要に応じて使用されてよい。発明の理解を促すため具体的な数値例を用いて説明されるが、特に断りのない限り、それらの数値は単なる一例に過ぎず適切な如何なる値が使用されてよい。
【０１３６】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【０１３７】
以下、開示される発明の実施形態を例示的に列挙する。
【０１３８】
（１）移動局と下りリンクにおいてＯＦＤＭ方式を用いて通信を行う基地局装置を備える無線通信システムにおける基地局装置であって：
複数の同期信号の系列を選択する系列選択手段；
選択された複数の同期信号の系列のうち、一部の同期信号の系列及び前記一部の同期信号の系列以外の同期信号の系列により、セカンダリ同期チャネルを生成する同期信号発生手段；
前記セカンダリ同期チャネルを送信する送信手段；
を備え、
前記セカンダリ同期チャネルにより、セル固有情報が検出されることを特徴とする基地局装置。
【０１３９】
（２）（１）記載の基地局装置において：
前記セル固有の情報には、セルＩＤグループ、無線フレームタイミング及び送信アンテナ数情報のうち少なくとも１つの情報が含まれることを特徴とする基地局装置。
【０１４０】
（３）（２）記載の基地局装置において：
前記一部の同期信号の系列により前記移動局に予め通知する事前情報を生成する事前情報生成手段；
を備え、
前記事前情報には、前記セルＩＤグループの一部を示す情報、セルＩＤグループを示す情報、無線フレームタイミングを示す情報、送信アンテナ数情報を示す情報、及び前記セルＩＤグループの一部を示す情報、セルＩＤグループを示す情報、前記無線フレームタイミングを示す情報及び送信アンテナ数情報を示す情報を組み合わせた情報のうちいずれか１つの情報が含まれることを特徴とする基地局装置。
【０１４１】
（４）（１）ないし（３）のいずれか１項に記載の基地局装置において：
前記系列選択手段は、自基地局装置に隣接するセルにより選択された系列とは異なる系列を選択することを特徴とする基地局装置。
【０１４２】
（５）（１）ないし（３）のいずれか１項に記載の基地局装置において：
前記同期信号の系列は送信タイミングに応じて複数に分割され、
前記系列選択手段は、無線フレームにおける前記送信タイミング毎に、前記分割された各同期信号の系列のうち、自基地局装置に隣接するセルにより選択された系列とは最大で１つが同じとなるように系列を選択することを特徴とする基地局装置。
【０１４３】
（６）基地局装置と下りリンクにおいてＯＦＤＭ方式を用いて通信を行う移動局装置を備える無線通信システムにおける移動局装置であって：
前記基地局装置は、複数の同期信号の系列のうち、複数の同期信号の系列を選択し、選択された複数の同期信号の系列のうち、一部の同期信号の系列及び前記一部の同期信号の系列以外の同期信号の系列により、セカンダリ同期チャネルを生成し、
前記セカンダリ同期チャネルにより、セル固有情報を検出する検出手段；
を備えることを特徴とする移動局装置。
【０１４４】
（７）（６）記載の移動局装置において：
前記基地局装置は、前記一部の同期信号の系列により、事前情報を予め通知し、
前記検出手段は、前記事前情報以外のセル固有情報を検出することを特徴とする移動局装置。
【０１４５】
（８）移動局と下りリンクにおいてＯＦＤＭ方式を用いて通信を行う基地局装置を備える無線通信システムにおける同期チャネル送信方法であって：
前記基地局装置が、複数の同期信号の系列を選択する系列選択ステップ；
前記基地局装置が、選択された複数の同期信号の系列のうち、一部の同期信号の系列及び前記一部の同期信号の系列以外の同期信号の系列により、セカンダリ同期チャネルを生成する同期信号発生ステップ；
前記基地局装置が、前記セカンダリ同期チャネルを送信するセカンダリ同期チャネル送信ステップ；
を有し、
前記移動局は、前記セカンダリ同期チャネルにより、前記セル固有情報を検出することを特徴とする同期チャネル送信方法。
【０１４６】
（９）移動通信システムで使用される基地局装置であって、
ユーザ装置のセルサーチで使用される同期チャネルを生成する手段と、
前記同期チャネルを含む信号を無線送信する手段と、
を有し、前記同期チャネルは、受信タイミングを検出するための一次同期チャネルと、前期セル固有情報を含む二次同期チャネルとを有し、
前記二次同期チャネルは複数の異なるショートコードで構成され、
複数のショートコードの組み合わせと、セルを識別する情報と、フレーム同期タイミングの複数の候補各々との対応関係がメモリに記憶され、
同じショートコードを含む同期チャネルを隣接セルから無線送信することが、複数のフレーム同期タイミングにわたって続かないように前記複数のショートコードの組み合わせが決定される基地局装置。
【０１４７】
（１０）前記二次同期チャネルが、第１のインデックス番号で指定される第１のショートコード及び第２のインデックス番号で指定される第２のショートコードで構成され、
前記第１のフレーム同期タイミングで送信される同期チャネルでは、第１のインデックス番号は第１の数値範囲から選択されたものであり、第２のインデックス番号も該第１の数値範囲から選択されたものであり、
前記第２のフレーム同期タイミングで送信される同期チャネルでは、第１のインデックス番号は、第１の数値範囲とは異なる第２の数値範囲から選択されたものであり、第２のインデックス番号も該第２の数値範囲から選択されたものである（９）記載の基地局装置。
【０１４８】
（１１）前記二次同期チャネルが、第１のインデックス番号で指定される第１のショートコード及び第２のインデックス番号で指定される第２のショートコードで構成され、
前記第１のフレーム同期タイミングでも第２のフレーム同期タイミングでも同じ数値範囲から前記第１及び第２のインデックス番号が選択される（９）記載の基地局装置。
【０１４９】
（１２）前記二次同期チャネルが、第１及び第２のショートコードの組み合わせで構成され、前記第２のショートコードは、前記第１のショートコードに対応付けられたスクランブルコードを或るコードに乗算することで生成されたコードである（９）乃至（１１）の何れか１項に記載の基地局装置。
【０１５０】
（１３）第１のフレーム同期タイミングで送信される二次同期チャネルが、第１のインデックス番号で指定される第１のショートコード及び第２のインデックス番号で指定される第２のショートコードで構成され、
第２のフレーム同期タイミングで送信される二次同期チャネルが、前記第２のインデックス番号で指定される第１のショートコード及び前記第１のインデックス番号で指定される第２のショートコードで構成される（１２）記載の基地局装置。
【０１５１】
（１４）前記ショートコードがＭ系列の符合で構成される（９）乃至（１３）の何れか１項に記載の基地局装置。
【０１５２】
（１５）移動通信システムで基地局装置を介して通信を行うユーザ装置であって、
同期チャネルを含む信号を受信する手段と、
前記同期チャネルに含まれる一次同期チャネルから受信タイミング情報を検出する手段と、
前記同期チャネルに含まれる二次同期チャネルから少なくともセルの識別情報を特定する手段と、
を有し、前記二次同期チャネルは複数の異なるショートコードで構成され、
複数のショートコードの組み合わせと、セルを識別する情報と、フレーム同期タイミングの複数の候補各々との対応関係がメモリに記憶され、
同じショートコードを含む同期チャネルを隣接セルから無線送信することが、複数のフレーム同期タイミングにわたって続かないように前記複数のショートコードの組み合わせは決定されているユーザ装置。
【０１５３】
（１６）前記二次同期チャネルが、第１のインデックス番号で指定される第１のショートコード及び第２のインデックス番号で指定される第２のショートコードで構成され、
前記第１のフレーム同期タイミングで送信される同期チャネルでは、第１のインデックス番号は第１の数値範囲から選択されたものであり、第２のインデックス番号も該第１の数値範囲から選択されたものであり、
前記第２のフレーム同期タイミングで送信される同期チャネルでは、第１のインデックス番号は、第１の数値範囲とは異なる第２の数値範囲から選択されたものであり、第２のインデックス番号も該第２の数値範囲から選択されたものである（１５）記載のユーザ装置。
【０１５４】
（１７）前記二次同期チャネルが、第１のインデックス番号で指定される第１のショートコード及び第２のインデックス番号で指定される第２のショートコードで構成され、
前記第１のフレーム同期タイミングでも第２のフレーム同期タイミングでも同じ数値範囲から前記第１及び第２のインデックス番号が選択される（１５）記載のユーザ装置。
【０１５５】
（１８）前記二次同期チャネルが、第１及び第２のショートコードの組み合わせで構成され、前記第２のショートコードは、前記第１のショートコードに対応付けられたスクランブルコードを或るコードに乗算することで生成されたコードである（１５）乃至（１７）の何れか１項に記載のユーザ装置。
【０１５６】
（１９）第１のフレーム同期タイミングで送信される二次同期チャネルが、第１のインデックス番号で指定される第１のショートコード及び第２のインデックス番号で指定される第２のショートコードで構成され、
第２のフレーム同期タイミングで送信される二次同期チャネルが、前記第２のインデックス番号で指定される第１のショートコード及び前記第１のインデックス番号で指定される第２のショートコードで構成される（１８）記載の基地局装置。
【０１５７】
（２０）前記ショートコードがＭ系列の符合で構成される（１５）乃至（１９）の何れか１項に記載のユーザ装置。
【０１５８】
（２１）移動通信システムで使用される方法であって、
同期チャネルを含む信号が基地局装置からユーザ装置へ無線送信されるステップと、
前記同期チャネルに含まれる一次同期チャネルからフレーム同期タイミングの候補が検出されるステップと、
前記同期チャネルに含まれる二次同期チャネルを抽出し、複数のショートコードの組み合わせ、セルを識別する情報及びフレーム同期タイミングを特定するステップと、
を有し、前記二次同期チャネルは複数の異なるショートコードで構成され、
同じショートコードを含む同期チャネルを隣接セルから無線送信することが、複数のフレーム同期タイミングにわたって続かないように前記複数のショートコードの組み合わせが決定されている方法。
【符号の説明】
【０１５９】
５０１、５０２、５０３、・・・、５０ｋ  セル
１００１、１００２、１００３、１００ｎ  移動局
１０２  基本波形相関部
１０４  同期信号レプリカ生成部
１０６  符号系列乗算部
１０８  上位階層符号相関部
１１０  タイミング検出部
１１２  Ｓ−ＳＣＨ検出部
２００  基地局装置
２０２  送受信アンテナ
２０４  アンプ部
２０６  送受信部
２０８  ベースバンド信号処理部
２０８１  ＲＬＣ処理部
２０８２  ＭＡＣ制御部処理部
２０８３  符号化部
２０８４  データ変調部
２０８５  多重部
２０８６  直並列変換部
２０８７  乗算器
２０８８  乗算器
２０８９  スクランブルコード生成部
２０８１０  振幅調整部
２０８１１  合成部
２０８１２  逆フーリエ変換部
２０８１３  ＣＰ付加部
２０９１  同期信号制御部
２０９２  同期信号発生部
２０９３  データ変調部
２０９４  直並列変換部
２０９５  乗算器
２０９６  振幅調整部
２１０  呼処理部
２１２  伝送路インターフェース
３００  アクセスゲートウェイ装置
４００  コアネットワーク
１０００  無線通信システム
【図１】
0005433773.tif 000002
【図２】
0005433773.tif 000003
【図３】
0005433773.tif 000004
【図４】
0005433773.tif 000005
【図５】
0005433773.tif 000006
【図６】
0005433773.tif 000007
【図７】
0005433773.tif 000008
【図８】
0005433773.tif 000009
【図９】
0005433773.tif 000010
【図１０】
0005433773.tif 000011
【図１１】
0005433773.tif 000012
【図１２】
0005433773.tif 000013
【図１３】
0005433773.tif 000014
【図１４】
0005433773.tif 000015
【図１５】
0005433773.tif 000016
【図１６】
0005433773.tif 000017
【図１７】
0005433773.tif 000018
【図１８】
0005433773.tif 000019
【図１９】
0005433773.tif 000020
【図２０】
0005433773.tif 000021
【図２１】
0005433773.tif 000022
【図２２】
0005433773.tif 000023
【図２３】
0005433773.tif 000024
【図２４】
0005433773.tif 000025
【図２５】
0005433773.tif 000026
【図２６】
0005433773.tif 000027
【図２７】
0005433773.tif 000028
【図２８】
0005433773.tif 000029
【図２９】
0005433773.tif 000030
【図３０】
0005433773.tif 000031